(57)【特許請求の範囲】
【請求項１】
商品又は役務の類似群情報を取得する類似群情報取得手段と、
商品若しくは役務又はこれが属するグループに関する商品情報を、商品又は役務の類似群情報と対応づけて記憶する商品情報記憶手段のなかから、前記類似群情報取得手段で取得した類似群情報及び検索対象となる商品情報に対応する前記類似群情報に基づいて得られる類似群の数が所定条件を満たす当該商品情報を検索する商品情報検索手段とを備えることを特徴とする商標支援システム。
【請求項２】
商品又は役務の類似群情報を取得する類似群情報取得手段と、
商品又は役務の類似群情報を含む商品情報を記憶する商品情報記憶手段のなかから、前記類似群情報取得手段で取得した類似群情報及び検索対象となる商品情報に含まれる前記類似群情報に基づいて得られる類似群の数が所定条件を満たす当該商品情報を検索する商品情報検索手段とを備えることを特徴とする商標支援システム。
【請求項３】
請求項１及び２のいずれか１項において、
前記商品情報検索手段は、前記所定条件を満たす前記商品情報の組み合わせを検索することを特徴とする商標支援システム。
【請求項４】
請求項１乃至３のいずれか１項において、
前記商品情報検索手段は、前記所定条件を満たし且つ商品又は役務の類似範囲が最も広くなる前記商品情報を検索することを特徴とする商標支援システム。
【請求項５】
請求項１乃至４のいずれか１項において、
前記商品情報検索手段で索出した商品情報を出力し、又は前記商品情報検索手段で索出した商品情報に基づいて、商品若しくは役務又はこれが属するグループに関する商品情報を出力する商品情報出力手段を備えることを特徴とする商標支援システム。
【請求項６】
請求項５において、
前記商品情報出力手段で出力した商品情報に係る商品又は役務の類似群情報を取得する第２類似群情報取得手段を備え、
前記商品情報検索手段は、前記類似群情報取得手段及び前記第２類似群情報取得手段で取得した類似群情報及び検索対象となる商品情報に係る商品又は役務の類似群情報に基づいて得られる類似群の数が前記所定条件を満たす当該商品情報を検索することを特徴とする商標支援システム。
【請求項７】
請求項５及び６のいずれか１項において、
前記商品情報出力手段は、前記類似群情報取得手段で取得される類似群情報に係る商品又は役務と組み合わせた場合に類似群の数が増加する前記商品情報、類似群の数が増減しない前記商品情報、又は類似群の数が減少する前記商品情報を所定態様で出力することを特徴とする商標支援システム。
【請求項８】
請求項５乃至７のいずれか１項において、
前記商品情報検索手段で索出した商品情報の統計情報を取得する統計情報取得手段を備え、
前記商品情報出力手段は、前記統計情報取得手段で取得した統計情報に基づいて、前記商品情報検索手段で索出した商品情報を出力し、又は、前記統計情報取得手段で取得した統計情報及び前記商品情報検索手段で索出した商品情報に基づいて、商品若しくは役務又はこれが属するグループに関する商品情報を出力することを特徴とする商標支援システム。
【発明の詳細な説明】
【技術分野】
【０００１】
本発明は、商標に関する支援を行うシステムに係り、特に、権利を取得する上での障害を少なくし、現在の業務から派生する業務に係る商品又は役務を検討することができる商標支援システムに関する。
【背景技術】
【０００２】
従来、商標登録出願を支援する技術としては、例えば、特許文献１記載の技術が知られている。
【０００３】
特許文献１記載の技術は、願書の作成時に検索キーワードを入力すると、入力した検索キーワードに対応する商品及び役務の区分に属するすべての商品又は役務が表示され、ユーザは、表示された商品又は役務のなかから所望のものを選択することができるというものである（同文献〔００３３〕〔００４２〕〔００４４〕〔００４６〕）。
【先行技術文献】
【特許文献】
【０００４】
【特許文献１】特開２００１−３４６７１号公報
【発明の概要】
【発明が解決しようとする課題】
【０００５】
ところで、商標登録出願を行うにあたっては、商標権が更新により永続的に保持できる権利である一方で、出願時の内容を超えて権利範囲を変更することはできないので、指定商品又は指定役務の内容について十分な検討が必要である。すなわち、現在の業務に係る商品又は役務だけを検討するのでは、将来の事業拡大等に伴い派生する新たな業務に十分に対応することができない権利を取得することとなる。この場合、後日、新たな業務に係る商品又は役務について権利を取得しなければならないが、この時既に第三者に権利を取得されてしまっているという事態もあり得る。したがって、商標登録出願を行うにあたっては、現在の業務に係る商品又は役務だけでなく、近い将来の事業拡大等に伴い派生する新たな業務を想定し、これに係る商品又は役務も含め十分に検討することが商標戦略上は望ましい。
【０００６】
この方法として、例えば、特許文献１記載の技術を利用し、検索キーワードに対応する商品及び役務の区分に属するすべての商品又は役務を表示し、表示された商品又は役務のなかから、将来の事業拡大等に伴い派生する新たな業務に係る商品又は役務を探し出すという方法が考えられる。
【０００７】
しかしながら、特許庁の商標審査便覧「４１．１００．０３  商標の使用又は商標の使用の意思を確認するための審査に関する運用について」（以下、「運用基準」という。）によれば、願書において商品又は役務の指定が広範な範囲に及んでいる場合は、指定商品又は指定役務について商標の使用又は使用の意思があることに疑義があるとして拒絶理由通知を受けることがある。拒絶理由通知を受けると権利の取得に障害となることも少なくないことから、拒絶理由通知を事前に回避するためには、運用基準に適合する範囲内で商品又は役務を指定しなければならないところ、運用基準は事例によって異なる判断基準を採用しているため複雑・難解であり、運用基準に適合するかどうかの判断は決して容易ではない。
【０００８】
特に、商品又は役務の数が多く優先順位を付けて商品又は役務を絞り込まなければならないケースでは困難を極める。例えば、第３５類の役務として、（１）「菓子及びパンの小売又は卸売の業務において行われる顧客に対する便益の提供」（３５Ｋ０３・３０Ａ０１）、（２）「かばん類及び袋物の小売又は卸売の業務において行われる顧客に対する便益の提供」（３５Ｋ０２・２１Ｃ０１）、（３）「食肉の小売又は卸売の業務において行われる顧客に対する便益の提供」（３５Ｋ０３・３２Ａ０１）、（４）「職業のあっせん」（３５Ｄ０１）、（５）「求人情報の提供」（４２Ｇ０２）の優先順位で役務を希望する場合、優先順位に従って運用基準に適合させようとすれば役務（１）、（２）について検討した時点で運用基準に適合しなくなるので役務（１）又は（２）しか指定することができないという結論になるが、役務（２）を除外すれば、役務（１）、（３）〜（５）については運用基準に適合するので指定することができる。
【０００９】
また例えば、第３５類の役務として、（１）「ヨットの小売又は卸売の業務において行われる顧客に対する便益の提供 」（３５Ｋ９９・１２Ａ０１）、（２）「グライダーの小売又は卸売の業務において行われる顧客に対する便益の提供」（３５Ｋ９９・１２Ａ０２）、（３）「船舶用警音器の小売又は卸売の業務において行われる顧客に対する便益の提供」（３５Ｋ９９・１２Ａ０１）、（４）「広告業」（３５Ａ０１）、（５）「商品の販売に関する情報の提供」（３５Ｂ０１）の優先順位で役務を希望する場合、優先順位に従って運用基準に適合させようとすれば役務（１）、（２）について検討した時点で運用基準に適合しなくなるので役務（１）又は（２）しか指定することができないという結論になるが、役務（２）を除外すれば、役務（１）、（３）〜（５）については運用基準に適合するので指定することができる。
【００１０】
いずれのケースでも、役務（１）又は（２）についてだけ出願するよりは、役務（１）、（３）〜（５）について出願する方が、将来の事業拡大等に伴い派生する新たな業務に対応することができる権利を取得することができるのは明らかである。しかし、このような絞込を行うのは、運用基準が複雑・難解であるため現実的には難しい。
【００１１】
そこで、本発明は、このような従来の技術の有する未解決の課題に着目してなされたものであって、権利を取得する上での障害を少なくし、現在の業務から派生する業務に係る商品又は役務を検討することができる商標支援システムを提供することを目的としている。
【課題を解決するための手段】
【００１２】
〔発明１〕  上記目的を達成するために、発明１の商標支援システムは、第１の商品又は役務の類似群情報を取得する類似群情報取得手段と、第２の商品若しくは役務又はこれが属するグループに関する商品情報を記憶する商品情報記憶手段のなかから前記商品情報を検索する商品情報検索手段と、前記類似群情報取得手段で取得した類似群情報及び前記商品情報検索手段で索出した商品情報に係る商品又は役務の類似群情報に基づいて商品又は役務の類似群の数を取得する類似群数取得手段と、前記商品情報検索手段で索出した商品情報のうち前記類似群数取得手段で取得した類似群の数が所定条件を満たす前記商品情報を出力し、又は当該所定条件を満たす商品情報に基づいて、商品若しくは役務又はこれが属するグループに関する商品情報を出力する商品情報出力手段とを備える。
【００１３】
このような構成であれば、類似群情報取得手段により、第１の商品又は役務の類似群情報が取得され、商品情報検索手段により、商品情報記憶手段のなかから商品情報が検索される。そして、類似群数取得手段により、取得された類似群情報及び索出された商品情報に係る商品又は役務の類似群情報に基づいて商品又は役務の類似群の数が取得され、商品情報出力手段により、索出された商品情報のうち類似群の数が所定条件を満たす商品情報が出力されるか、又は、所定条件を満たす商品情報に基づいて、商品若しくは役務又はこれが属するグループに関する商品情報が出力される。
【００１４】
ここで、類似群情報取得手段は、例えば、入力装置等から類似群情報を入力してもよいし、外部の端末等から類似群情報を獲得又は受信してもよいし、記憶装置や記憶媒体等から類似群情報を読み出してもよいし、情報処理等により類似群情報を生成し又は算出してもよい。したがって、取得には、少なくとも入力、獲得、受信、読出（検索を含む。）、生成及び算出が含まれる。以下、取得の概念については同じである。
【００１５】
また、類似群情報は、例えば、商品又は役務の類似群を識別するための情報（例えば、名称、番号、ＩＤ、コード、ＵＲＬ等のリンク情報）として構成することができる。また、類似群情報は、例えば、文字、数字、図形、符合、記号、画像、音声その他の情報として構成することができる。また、類似群情報は、商品又は役務の類似群に関するキーワード（例えば、商品又は役務の類似群コードの一部を示す１又は複数のキーワード）として構成することができる。
【００１６】
また、商品情報は、例えば、商品若しくは役務又はこれが属するグループを識別するための情報（例えば、名称、番号、ＩＤ、コード、ＵＲＬ等のリンク情報）として構成することができる。また、商品情報は、例えば、文字、数字、図形、符合、記号、画像、音声その他の情報として構成することができる。また、商品情報は、商品若しくは役務又はこれが属するグループに関するキーワード（例えば、商品又は役務の名称の一部を示す１又は複数のキーワード）として構成することができる。
【００１７】
また、商品情報には、例えば、商標登録出願又は商標登録において指定された商品若しくは役務のうち一の商品若しくは役務（この段落において単に「一の指定商品等」という。）又はこれが属するグループに関する商品情報、一の指定商品等を包括する上位概念の商品若しくは役務又はこれが属するグループに関する商品情報、又は、一の指定商品等に包括される下位概念の商品若しくは役務又はこれが属するグループに関する商品情報が含まれる。
【００１８】
また、商品情報は、商品又は役務が属するグループに関する情報として類似群情報を含む場合と含まない場合がある。商品情報が類似群情報を含まない場合は、例えば、次の第１の構成を採用することができる。
【００１９】
第１の構成は、第２の商品若しくは役務又はこれが属するグループに関する商品情報を、前記第２の商品又は役務の類似群情報と対応づけて前記商品情報記憶手段に記憶し、前記商品情報検索手段は、前記商品情報及びこれに対応する前記類似群情報を前記商品情報記憶手段のなかから検索し、前記類似群数取得手段は、前記類似群情報取得手段で取得した類似群情報及び前記商品情報検索手段で索出した類似群情報に基づいて商品又は役務の類似群の数を取得する。当該第１の構成において、商品情報を類似群情報と対応づけて記憶することとしては、例えば、（１）商品情報及び類似群情報を同一のレコードに登録するなど、直接対応づけて記憶すること、（２）商品情報及び中間情報を対応づけて登録するテーブルと、類似群情報及び中間情報を対応づけて登録するテーブルを設けるなど、中間に１又は複数の情報を介して記憶することが含まれる。すなわち、商品情報から類似群情報を辿ることができる態様であれば、あらゆるデータ構造を採用することができる。以下、情報を対応づけて記憶する概念については同じである。
【００２０】
これに対し、商品情報が類似群情報を含む場合は、例えば、次の第２の構成を採用することができる。
【００２１】
第２の構成は、第２の商品又は役務の類似群情報を含む商品情報を前記商品情報記憶手段に記憶し、前記類似群数取得手段は、前記類似群情報取得手段で取得した類似群情報及び前記商品情報検索手段で索出した商品情報に含まれる類似群情報に基づいて商品又は役務の類似群の数を取得する。
【００２２】
また、類似群の数が所定条件を満たすこととしては、例えば、（１）類似群の数が所定以下となること、（２）類似群の数が所定以上となること、（３）類似群の数が所定値となること、（４）類似群の数に対し演算（例えば、関数演算、符号化、暗号化、復号化、圧縮又は解凍その他の演算）を行って得られる情報（この段落において単に「類似群数演算情報」という。）が所定以下となること、（５）類似群数演算情報が所定以上となること、（６）類似群数演算情報が所定値となること、（７）類似群数演算情報が所定情報と一致又は関連すること、（８）類似群数演算情報が所定情報に含まれること、（９）類似群数演算情報が所定情報を含むこと、（１０）類似群数演算情報が所定情報と一致せず又は関連しないこと、（１１）類似群数演算情報が所定情報に含まれないこと、（１２）類似群数演算情報が所定情報を含まないことが含まれる。ここで、「一致」「関連」「含む」「含まれる」とは、情報等の内容、属性又は概念について、一致すること、関連すること、含むこと、又は、含まれることが含まれる。また、「一致」「関連」「含む」「含まれる」における情報等の対比は、一の情報等と他の情報等を対比すること、一の情報等を演算した結果と他の情報等を対比すること、一の情報等を演算した結果と他の情報等を演算した結果を対比することが含まれる。
【００２３】
また、商品情報出力手段は、例えば、表示、印刷、音声出力、記憶装置や記憶媒体等への書き出し、外部の端末等への送信、バイブレーション等の振動、発熱その他の方法により商品情報を出力することができる。したがって、出力には、少なくとも表示、印刷、音声出力、書き出し、送信、振動及び発熱が含まれる。以下、出力の概念については同じである。
【００２４】
また、商品情報出力手段による出力の形態には、例えば、所定条件を満たす商品情報に係る商品若しくは役務又はこれが属するグループに関する商品情報を出力すること、所定条件を満たす商品情報に係る商品若しくは役務を包括する上位概念の商品若しくは役務又はこれが属するグループに関する商品情報を出力すること、又は、所定条件を満たす商品情報に係る商品若しくは役務に包括される下位概念の商品若しくは役務又はこれが属するグループを出力することが含まれる。
【００２５】
また、商品情報記憶手段は、商品情報をあらゆる手段で且つあらゆる時期に記憶するものであり、商品情報を予め記憶してあるものであってもよいし、商品情報を予め記憶することなく、本システムの動作時に外部からの入力等によって商品情報を記憶するようになっていてもよい。
【００２６】
また、本システムは、単一の装置、端末その他の機器として実現するようにしてもよいし、複数の装置、端末その他の機器を通信可能に接続したネットワークシステムとして実現するようにしてもよい。後者の場合、各構成要素は、それぞれ通信可能に接続されていれば、複数の機器等のうちいずれに属していてもよい。
【００２７】
〔発明２〕  さらに、発明２の商標支援システムは、発明１の商標支援システムにおいて、前記商品情報出力手段で出力した商品情報に係る商品又は役務の類似群情報を取得する第２類似群情報取得手段と、前記類似群情報取得手段及び前記第２類似群情報取得手段で取得した類似群情報並びに前記商品情報検索手段で索出した商品情報に係る商品又は役務の類似群情報に基づいて商品又は役務の類似群の数を取得する第２類似群数取得手段とを備え、前記商品情報出力手段は、前記商品情報検索手段で索出した商品情報のうち前記第２類似群数取得手段で取得した類似群の数が所定条件を満たす前記商品情報を出力し、又は当該所定条件を満たす商品情報に基づいて、商品若しくは役務又はこれが属するグループに関する商品情報を出力する。
【００２８】
このような構成であれば、第２類似群情報取得手段により、出力された商品情報に係る商品又は役務の類似群情報が取得され、第２類似群数取得手段により、類似群情報取得手段及び第２類似群情報取得手段で取得された類似群情報並びに索出された商品情報に係る商品又は役務の類似群情報に基づいて商品又は役務の類似群の数が取得される。そして、商品情報出力手段により、索出された商品情報のうち類似群の数が所定条件を満たす商品情報が出力されるか、又は、所定条件を満たす商品情報に基づいて、商品若しくは役務又はこれが属するグループに関する商品情報が出力される。
【００２９】
〔発明３〕  さらに、発明３の商標支援システムは、発明１及び２のいずれか１の商標支援システムにおいて、前記商品情報出力手段は、前記所定条件を満たす商品情報の組み合わせを出力し、又は前記所定条件を満たす商品情報の組み合わせに基づいて、商品若しくは役務又はこれが属するグループに関する商品情報の組み合わせを出力する。
【００３０】
このような構成であれば、商品情報出力手段により、所定条件を満たす商品情報の組み合わせが出力されるか、又は、所定条件を満たす商品情報の組み合わせに基づいて、商品若しくは役務又はこれが属するグループに関する商品情報の組み合わせが出力される。
【００３１】
ここで、商品情報の組み合わせを決定する構成としては、例えば、発明５の統計情報を用いることができる。
【００３２】
〔発明４〕  さらに、発明４の商標支援システムは、発明１乃至３のいずれか１の商標支援システムにおいて、前記商品情報出力手段は、前記所定条件を満たし且つ商品若しくは役務の類似範囲が最も広くなる商品情報を出力し、又は前記所定条件を満たし且つ商品若しくは役務の類似範囲が最も広くなる商品情報に基づいて、商品若しくは役務又はこれが属するグループに関する商品情報を出力する。
【００３３】
このような構成であれば、商品情報出力手段により、所定条件を満たし且つ商品若しくは役務の類似範囲が最も広くなる商品情報が出力されるか、又は、所定条件を満たし且つ商品若しくは役務の類似範囲が最も広くなる商品情報に基づいて、商品若しくは役務又はこれが属するグループに関する商品情報が出力される。
【００３４】
〔発明５〕  さらに、発明５の商標支援システムは、発明１乃至４のいずれか１の商標支援システムにおいて、前記商品情報出力手段は、前記第１の商品又は役務と組み合わせた場合に類似群の数が増加する前記商品情報、類似群の数が増減しない前記商品情報、又は類似群の数が減少する前記商品情報を所定態様で出力する。
【００３５】
このような構成であれば、商品情報出力手段により、第１の商品又は役務と組み合わせた場合に類似群の数が増加する商品情報、類似群の数が増減しない商品情報、又は類似群の数が減少する商品情報が所定態様で出力される。
【００３６】
ここで、所定態様での出力の形態には、例えば、類似群の数が増加する商品情報に特定の色、マークその他の区別を付すること、類似群の数が増加する商品情報を優先的（例えば、上位）に出力すること、類似群の数が増加する商品情報だけを出力すること、類似群の数が増減しない商品情報に特定の色、マークその他の区別を付すること、類似群の数が増減しない商品情報を優先的に出力すること、類似群の数が増減しない商品情報だけを出力すること、類似群の数が減少する商品情報に特定の色、マークその他の区別を付すること、類似群の数が減少する商品情報を優先的に出力すること、類似群の数が減少する商品情報だけを出力することが含まれる。
【００３７】
〔発明６〕  さらに、発明６の商標支援システムは、発明１乃至５のいずれか１の商標支援システムにおいて、前記商品情報出力手段は、前記類似群数取得手段で取得した類似群の数が多い順又は少ない順に前記商品情報を出力する。
【００３８】
このような構成であれば、商品情報出力手段により、取得された類似群の数が多い順又は少ない順に商品情報が出力される。
【００３９】
〔発明７〕  さらに、発明７の商標支援システムは、発明１乃至６のいずれか１の商標支援システムにおいて、前記商品情報検索手段で索出した商品情報の統計情報を取得する統計情報取得手段を備え、前記商品情報出力手段は、前記統計情報取得手段で取得した統計情報に基づいて、前記所定条件を満たす商品情報を出力し、又は、前記統計情報取得手段で取得した統計情報及び前記所定条件を満たす商品情報に基づいて、商品若しくは役務又はこれが属するグループに関する商品情報を出力する。
【００４０】
このような構成であれば、統計情報取得手段により、索出された商品情報の統計情報が取得され、商品情報出力手段により、取得された統計情報に基づいて、所定条件を満たす商品情報が出力されるか、又は、取得された統計情報及び所定条件を満たす商品情報に基づいて、商品若しくは役務又はこれが属するグループに関する商品情報が出力される。
【００４１】
ここで、統計情報には、例えば、出現回数、出現率、順位、差分、分散、標準誤差、標準偏差、偏差値、平均値、中央値、最頻値、尖度、歪度、最小値、最大値その他の統計量が含まれる。
【００４２】
〔発明８〕  さらに、発明８の商標支援システムは、発明７の商標支援システムにおいて、前記統計情報取得手段は、前記商品情報検索手段で索出した商品情報について同一の内容ごと又は所定の分類ごとに出現回数を算出する。
【００４３】
このような構成であれば、統計情報取得手段により、索出された商品情報について同一の内容ごと又は所定の分類ごとに出現回数が算出され、商品情報出力手段により、算出された出現回数に基づいて、所定条件を満たす商品情報が出力されるか、又は、算出された出現回数及び所定条件を満たす商品情報に基づいて、商品若しくは役務又はこれが属するグループに関する商品情報が出力される。
【００４４】
ここで、商品情報出力手段による出力の形態には、例えば、出現回数の多い順に商品情報を出力すること、出現回数の少ない順に商品情報を出力すること、出現回数が所定以上の商品情報を出力すること、又は、出現回数が所定以下の商品情報を出力することが含まれる。
【００４５】
また、同一の内容ごとに出現回数を算出するとは、例えば、索出された商品情報に係る商品が「Ａ」「Ｂ」「Ａ」「Ｂ」「Ｂ」の場合、商品「Ａ」の出現回数を「２」、商品「Ｂ」の出現回数を「３」として算出することをいう。また、所定の分類ごとに出現回数を算出するとは、例えば、索出された商品情報に係る商品が「Ａ１２」「Ｂ３４」「Ａ５６」「Ｂ７８」「Ｂ９０」の場合、「Ａ」を含む商品及び「Ｂ」を含む商品という分類を規定し、「Ａ」を含む商品の出現回数を「２」、「Ｂ」を含む商品の出現回数を「３」として算出することをいう。分類方法は、任意である。
【発明の効果】
【００４６】
以上説明したように、発明１の商標支援システムによれば、第１の商品又は役務（例えば、現在の業務に係る商品又は役務）に対し、類似群の数が所定条件を満たす商品情報が得られるので、従来に比して、権利を取得する上での障害を少なくし、現在の業務から派生する業務に係る商品又は役務を検討することができる。
【００４７】
さらに、発明２の商標支援システムによれば、第１の商品又は役務（例えば、現在の業務に係る商品又は役務）及び得られた商品情報に係る商品又は役務（例えば、現在の業務から派生する業務に係る一の商品又は役務）に対し、さらに類似群の数が所定条件を満たす商品情報が得られるので、権利を取得する上での障害を少なくし、現在の業務から派生する業務に係る商品又は役務をさらに検討することができる。
【００４８】
さらに、発明３の商標支援システムによれば、第１の商品又は役務（例えば、現在の業務に係る商品又は役務）に対し、類似群の数が所定条件を満たす商品情報の組み合わせが得られるので、権利を取得する上での障害を少なくし、現在の業務から派生する業務に係る商品又は役務をさらに検討することができる。
【００４９】
さらに、発明４の商標支援システムによれば、権利を取得する上での障害を少なくし、類似範囲が最も広くなる商品又は役務を検討することができる。
【００５０】
さらに、発明５の商標支援システムによれば、第１の商品又は役務と組み合わせた場合に類似群の数が増加する商品情報、類似群の数が増減しない商品情報、又は類似群の数が減少する商品情報を把握することができる。
【００５１】
さらに、発明６の商標支援システムによれば、第１の商品又は役務と組み合わせた場合に類似群の数が多い商品情報又は類似群の数が少ない商品情報を優先的に得ることができる。
【００５２】
さらに、発明７の商標支援システムによれば、商品情報の統計情報に基づいて商品情報が出力されるので、統計的に商品又は役務を検討することができる。
【００５３】
さらに、発明８の商標支援システムによれば、商品情報について同一の内容ごと又は所定の分類ごとの出現回数に基づいて商品情報が出力されるので、出現回数と関連して商品情報を把握することができる。
【図面の簡単な説明】
【００５４】
【図１】出願支援装置１００のハードウェア構成を示す図である。
【図２】記憶装置４２に記憶されている商品情報テーブルのデータ構造を示す図である。
【図３】検索処理を示すフローチャートである。
【図４】商品（役務）を検索するための検索画面である。
【図５】商品（役務）を検索するための検索画面である。
【図６】商品（役務）を検索するための検索画面である。
【図７】記憶装置４２に記憶されている商品情報テーブルのデータ構造を示す図である。
【図８】検索処理を示すフローチャートである。
【図９】商品（役務）を検索するための検索画面である。
【図１０】商品（役務）を検索するための検索画面である。
【図１１】検索処理を示すフローチャートである。
【図１２】商品（役務）を検索するための検索画面である。
【図１３】検索処理を示すフローチャートである。
【図１４】商品（役務）の類似群コードを検索するための検索画面である。
【図１５】記憶装置４２に記憶されている商品情報テーブルのデータ構造を示す図である。
【図１６】検索処理を示すフローチャートである。
【図１７】商品（役務）の類似群コードを検索するための検索画面である。
【図１８】検索処理を示すフローチャートである。
【図１９】商品（役務）を検索するための検索画面である。
【図２０】商品（役務）を検索するための検索画面である。
【図２１】商品（役務）を検索するための検索画面である。
【図２２】商品（役務）を検索するための検索画面である。
【図２３】記憶装置４２に記憶されている商品情報テーブルのデータ構造を示す図である。
【図２４】検索処理を示すフローチャートである。
【図２５】商品（役務）を検索するための検索画面である。
【図２６】記憶装置４２に記憶されている商品情報テーブルのデータ構造を示す図である。
【図２７】商標登録出願の内容の一例を示す図である。
【図２８】商標登録出願の内容の一例を示す図である。
【図２９】商標登録出願の内容の一例を示す図である。
【図３０】検索処理を示すフローチャートである。
【図３１】商品（役務）を検索するための検索画面である。
【図３２】記憶装置４２に記憶されている商品情報テーブルのデータ構造を示す図である。
【図３３】記憶装置４２に記憶されている書誌情報テーブルのデータ構造を示す図である。
【図３４】検索処理を示すフローチャートである。
【図３５】商品（役務）を検索するための検索画面である。
【図３６】商品（役務）を検索するための検索画面である。
【図３７】商品（役務）を検索するための検索画面である。
【図３８】検索処理を示すフローチャートである。
【図３９】商品（役務）を検索するための検索画面である。
【図４０】検索処理を示すフローチャートである。
【図４１】商品（役務）の類似群コードを検索するための検索画面である。
【図４２】記憶装置４２に記憶されている商品情報テーブルのデータ構造を示す図である。
【図４３】検索処理を示すフローチャートである。
【図４４】商品（役務）の類似群コードを検索するための検索画面である。
【図４５】商品（役務）を検索するための検索画面である。
【図４６】ネットワークシステムの構成を示すブロック図である。
【発明を実施するための形態】
【００５５】
〔第１の実施の形態〕
以下、本発明の第１の実施の形態を説明する。図１乃至図６は、本実施の形態を示す図である。
【００５６】
まず、本発明を適用する出願支援装置１００の構成を説明する。
図１は、出願支援装置１００のハードウェア構成を示す図である。
【００５７】
出願支援装置１００は、図１に示すように、制御プログラムに基づいて演算及びシステム全体を制御するＣＰＵ（Central Processing Unit）３０と、所定領域に予めＣＰＵ３０の制御プログラム等を格納しているＲＯＭ（Read Only Memory）３２と、ＲＯＭ３２等から読み出したデータやＣＰＵ３０の演算過程で必要な演算結果を格納するためのＲＡＭ（Random Access Memory）３４と、外部装置に対してデータの入出力を媒介するＩ／Ｆ（InterFace）３８とで構成されており、これらは、データを転送するための信号線であるバス３９で相互に且つデータ授受可能に接続されている。
【００５８】
Ｉ／Ｆ３８には、外部装置として、ヒューマンインターフェースとしてデータの入力が可能なキーボードやマウス等からなる入力装置４０と、データやテーブル等をファイルとして格納する記憶装置４２と、画像信号に基づいて画面を表示する表示装置４４とが接続されている。
【００５９】
次に、記憶装置４２のデータ構造を説明する。
図２は、記憶装置４２に記憶されている商品情報テーブルのデータ構造を示す図である。
【００６０】
記憶装置４２は、図２に示すように、商品又は役務（以下、「商品（役務）」と表記する。）を登録する商品情報テーブルを記憶している。
【００６１】
商品情報テーブルには、商品（役務）ごとに１つのレコードが登録されている。各レコードは、商品（役務）を登録するフィールドと、その商品（役務）の類似群コードを登録するフィールドとを含んで構成されている。商品情報テーブルは、例えば、特許庁が発行する類似商品・役務審査基準をもとに作成することができる。図２の例では、理解を容易にするため、第３５類に属する役務の一部を登録した例を示しているが、必要に応じて、第３５類に属する他の役務又は第３５類以外の区分に属する商品（役務）を登録することができる。
【００６２】
次に、ＣＰＵ３０で実行される処理を説明する。
ＣＰＵ３０は、ＭＰＵ（Micro-Processing Unit）等からなり、ＲＯＭ３２の所定領域に格納されている所定のプログラムを起動させ、そのプログラムに従って、図３のフローチャートに示す検索処理を実行する。
【００６３】
図３は、検索処理を示すフローチャートである。
検索処理は、ユーザからの検索要求に応じて実行される処理であって、ＣＰＵ３０において実行されると、図３に示すように、まず、ステップＳ１００に移行する。
【００６４】
ステップＳ１００では、商品（役務）を入力し、ステップＳ１０２に移行して、入力した商品（役務）と一致する商品（役務）を商品情報テーブルのなかから検索し、これと同一のレコードにおいて登録されている類似群コードを商品情報テーブルのなかから検索し、ステップＳ１０４に移行して、商品（役務）及びこれに対応する類似群コードを商品情報テーブルのなかから検索し、ステップＳ１０６に移行する。
【００６５】
ステップＳ１０６では、ステップＳ１０２で索出した類似群コード及びステップＳ１０４で索出した類似群コードに基づいて類似群の数を算出する。
【００６６】
運用基準には、商標の使用又は使用の意思があることに疑義があるとして拒絶理由通知を行う基準として、大きく４つの基準が示されている。
【００６７】
第１の基準は、「衣料品、飲食料品及び生活用品に係る各種商品を一括して取り扱う小売又は卸売の業務において行われる顧客に対する便益の提供」（以下、「総合小売等役務」という。）に該当する役務を個人が指定してきた場合である（運用基準１．（１）（ａ））。
【００６８】
第２の基準は、総合小売等役務に該当する役務を法人が指定してきた場合であって、「自己の業務に係る商品（役務）について使用」をするものであるか否かについて職権で調査を行っても、出願人が総合小売等役務を行っているとは認められない場合である（運用基準１．（１）（ｂ））。
【００６９】
第３の基準は、類似の関係にない複数の小売等役務を指定してきた場合である（運用基準１．（１）（ｃ））。
【００７０】
第４の基準は、１区分内において、８以上の類似群コードにわたる商品（役務）を指定している場合である（運用基準１．（２））。ただし、一の商品（役務）で多数の類似群コードが付与されている商品（役務）であって、他に適当な表示が認められない場合は、その商品（役務）の類似群コードが２以上であっても、１の類似群コードとして取り扱うものとする。また、包括概念表示の商品（役務）は、個々の類似群コード単位に分割して表示することが困難となる場合が多いため、包括概念表示の商品（役務）が２以上の類似群コードが付与されている商品（役務）であっても、１の類似群コードとして取り扱うものとする。小売等役務については、取扱商品の類似群コードは考慮しないものとする。
【００７１】
そこで、ステップＳ１０６では、例えば、上記第１及び第２の基準に対応する処理として、ステップＳ１０２で索出した類似群コード及びステップＳ１０４で索出した一の商品（役務）の類似群コードの一方又は両方に総合小売等役務の類似群コード「３５Ｋ０１」が含まれている場合は、その一の商品（役務）についての類似群の数を最大値（例えば、「65,535」）として算出する。
【００７２】
また例えば、上記第３の基準に対応する処理として、ステップＳ１０２で索出した類似群コード及びステップＳ１０４で索出した一の商品（役務）の類似群コードの両方に特定小売等役務の類似群コード「３５Ｋ０２」〜「３５Ｋ２１」「３５Ｋ９９」が含まれており、且つ、それら類似群コードが一致しない場合は、その一の商品（役務）についての類似群の数を最大値として算出する。また、ステップＳ１０２で索出した類似群コード及びステップＳ１０４で索出した一の商品（役務）の類似群コードの両方に特定小売等役務の類似群コード「３５Ｋ０２」〜「３５Ｋ２１」「３５Ｋ９９」が含まれており、且つ、それら類似群コードが一致する場合は、その一の商品（役務）についての類似群の数を「２」として算出する。
【００７３】
また例えば、上記第３の基準に対応する処理として、ステップＳ１０２で索出した類似群コード及びステップＳ１０４で索出した一の商品（役務）の類似群コードの両方に特定小売等役務の類似群コード「３５Ｋ９９」が含まれており、且つ、その取扱商品の類似群コードが一致しない場合は、その一の商品（役務）についての類似群の数を最大値として算出する。また、ステップＳ１０２で索出した類似群コード及びステップＳ１０４で索出した一の商品（役務）の類似群コードの両方に特定小売等役務の類似群コード「３５Ｋ９９」が含まれており、且つ、その取扱商品の類似群コードが一致する場合は、その一の商品（役務）についての類似群の数を「２」として算出する。
【００７４】
また例えば、上記第４の基準に対応する処理として、ステップＳ１０２で索出した類似群コードに基づいて運用基準１．（２）に従って求められる類似群コードの数と、ステップＳ１０４で索出した一の商品（役務）の類似群コードに基づいて運用基準１．（２）に従って求められる類似群コードの数の合計を、その一の商品（役務）についての類似群の数として算出する。
【００７５】
また例えば、他の処理として、ステップＳ１００で入力した商品（役務）と一致する商品（役務）についての類似群の数を最大値として算出する。これは、ステップＳ１００で入力した商品（役務）と一致する商品（役務）を表示しないためである。
【００７６】
そして、ステップＳ１０８に移行して、ステップＳ１０４で索出した商品（役務）のうちステップＳ１０６で算出した類似群の数が所定値（例えば、「７」）以下となる商品（役務）を表示装置４４に表示し、一連の処理を終了する。
【００７７】
次に、本実施の形態の動作を説明する。
まず、第１の事例を説明する。
図４は、商品（役務）を検索するための検索画面である。
【００７８】
ユーザは、図４に示すように、例えば、所望の商品（役務）として「菓子及びパンの小売又は卸売の業務において行われる顧客に対する便益の提供」を入力装置４０から入力し、検索ボタンをクリックすると、ステップＳ１０２を経て、「菓子及びパンの小売又は卸売の業務において行われる顧客に対する便益の提供」と一致する商品（役務）が商品情報テーブルのなかから検索され、これと同一のレコードにおいて登録されている類似群コード「３５Ｋ０３・３０Ａ０１」が商品情報テーブルのなかから検索される。
【００７９】
次いで、ステップＳ１０４、Ｓ１０６を経て、商品（役務）及びこれに対応する類似群コードが商品情報テーブルのなかから検索され、ステップＳ１０２で索出された類似群コード及びステップＳ１０４で索出された類似群コードに基づいて類似群の数が算出される。
【００８０】
図２の例では、まず、第１番目のレコードには、役務「広告業」及び類似群コード「３５Ａ０１」が登録されているので、上記第４の基準によれば、ステップＳ１０２で索出された類似群コード「３５Ｋ０３・３０Ａ０１」との関係では、役務「広告業」についての類似群の数は「２」として算出される。同様に、第２番目〜第８番目のレコードには、役務「トレーディングスタンプの発行」及び類似群コード「３５Ａ０２」が、役務「商品の販売に関する情報の提供」及び類似群コード「３５Ｂ０１」が、役務「職業のあっせん」及び類似群コード「３５Ｄ０１」が、役務「速記」及び類似群コード「３５Ｇ０１」が、役務「書類の複製」及び類似群コード「３５Ｇ０２」が、役務「コンピュータデータベースへの情報編集」及び類似群コード「３５Ｇ０３・４２Ｐ０２」が、役務「求人情報の提供」及び類似群コード「４２Ｇ０２」がそれぞれ登録されているので、上記第４の基準によれば、これら役務についての類似群の数はいずれも「２」として算出される。また、第１１番目のレコードには、役務「食肉の小売又は卸売の業務において行われる顧客に対する便益の提供」及び類似群コード「３５Ｋ０３・３２Ａ０１」が登録されているので、上記第３の基準によれば、この役務についての類似群の数は「２」として算出される。
【００８１】
これに対し、第９番目のレコードには、役務「衣料品・飲食料品及び生活用品に係る各種商品を一括して取り扱う小売又は卸売の業務において行われる顧客に対する便益の提供」及び類似群コード「３５Ｋ０１」が登録されているが、上記第１又は第２の基準によれば、この役務についての類似群の数は最大値として算出される。また、第１０番目、第１３番目〜第１５番目のレコードには、役務「かばん類及び袋物の小売又は卸売の業務において行われる顧客に対する便益の提供」及び類似群コード「３５Ｋ０２・２１Ｃ０１」が、役務「ヨットの小売又は卸売の業務において行われる顧客に対する便益の提供」及び類似群コード「３５Ｋ９９・１２Ａ０１」が、役務「船舶用警音器の小売又は卸売の業務において行われる顧客に対する便益の提供」及び類似群コード「３５Ｋ９９・１２Ａ０１」が、役務「グライダーの小売又は卸売の業務において行われる顧客に対する便益の提供」及び類似群コード「３５Ｋ９９・１２Ａ０２」がそれぞれ登録されているが、上記第３の基準によれば、これら役務についての類似群の数はいずれも最大値として算出される。
【００８２】
なお、第１２番目のレコードには、役務「菓子及びパンの小売又は卸売の業務において行われる顧客に対する便益の提供」及び類似群コード「３５Ｋ０３・３０Ａ０１」が登録されているが、入力された商品（役務）と一致するので、この役務についての類似群の数は最大値として算出される。
【００８３】
そして、ステップＳ１０８を経て、図４に示すように、算出された類似群の数が所定以下となる商品（役務）「広告業」「トレーディングスタンプの発行」「商品の販売に関する情報の提供」「職業のあっせん」「速記」「書類の複製」「コンピュータデータベースへの情報編集」「求人情報の提供」「食肉の小売又は卸売の業務において行われる顧客に対する便益の提供」が表示される。
【００８４】
ここで、従来技術との対比を行うと、特許文献１の技術にあっては、（１）「菓子及びパンの小売又は卸売の業務において行われる顧客に対する便益の提供」（３５Ｋ０３・３０Ａ０１）、（２）「かばん類及び袋物の小売又は卸売の業務において行われる顧客に対する便益の提供」（３５Ｋ０２・２１Ｃ０１）、（３）「食肉の小売又は卸売の業務において行われる顧客に対する便益の提供」（３５Ｋ０３・３２Ａ０１）、（４）「職業のあっせん」（３５Ｄ０１）、（５）「求人情報の提供」（４２Ｇ０２）の優先順位で役務を希望する場合、優先順位に従って運用基準に適合させようとすれば役務（１）、（２）について検討した時点で運用基準に適合しなくなるので役務（１）又は（２）しか指定することができないという結論になる。これに対し、本実施の形態に係る図４の例では、役務（１）を入力すれば役務（２）が表示されないので、運用基準に適合する役務（１）、（３）〜（５）を指定することができる。
【００８５】
次に、第２の事例を説明する。
図５は、商品（役務）を検索するための検索画面である。
【００８６】
ユーザは、図５に示すように、例えば、所望の商品（役務）として「ヨットの小売又は卸売の業務において行われる顧客に対する便益の提供」を入力装置４０から入力し、検索ボタンをクリックすると、ステップＳ１０２を経て、「ヨットの小売又は卸売の業務において行われる顧客に対する便益の提供」と一致する商品（役務）が商品情報テーブルのなかから検索され、これと同一のレコードにおいて登録されている類似群コード「３５Ｋ９９・１２Ａ０１」が商品情報テーブルのなかから検索される。
【００８７】
次いで、ステップＳ１０４、Ｓ１０６を経て、商品（役務）及びこれに対応する類似群コードが商品情報テーブルのなかから検索され、ステップＳ１０２で索出された類似群コード及びステップＳ１０４で索出された類似群コードに基づいて類似群の数が算出される。
【００８８】
図２の例では、まず、第１番目のレコードには、役務「広告業」及び類似群コード「３５Ａ０１」が登録されているので、上記第４の基準によれば、ステップＳ１０２で索出された類似群コード「３５Ｋ９９・１２Ａ０１」との関係では、役務「広告業」についての類似群の数は「２」として算出される。同様に、第２番目〜第８番目のレコードには、役務「トレーディングスタンプの発行」及び類似群コード「３５Ａ０２」が、役務「商品の販売に関する情報の提供」及び類似群コード「３５Ｂ０１」が、役務「職業のあっせん」及び類似群コード「３５Ｄ０１」が、役務「速記」及び類似群コード「３５Ｇ０１」が、役務「書類の複製」及び類似群コード「３５Ｇ０２」が、役務「コンピュータデータベースへの情報編集」及び類似群コード「３５Ｇ０３・４２Ｐ０２」が、役務「求人情報の提供」及び類似群コード「４２Ｇ０２」がそれぞれ登録されているので、上記第４の基準によれば、これら役務についての類似群の数はいずれも「２」として算出される。また、第１４番目のレコードには、役務「船舶用警音器の小売又は卸売の業務において行われる顧客に対する便益の提供」及び類似群コード「３５Ｋ９９・１２Ａ０１」が登録されているので、上記第３の基準によれば、この役務についての類似群の数は「２」として算出される。
【００８９】
これに対し、第９番目のレコードには、役務「衣料品・飲食料品及び生活用品に係る各種商品を一括して取り扱う小売又は卸売の業務において行われる顧客に対する便益の提供」及び類似群コード「３５Ｋ０１」が登録されているが、上記第１又は第２の基準によれば、この役務についての類似群の数は最大値として算出される。また、第１０番目〜第１２番目、第１５番目のレコードには、役務「かばん類及び袋物の小売又は卸売の業務において行われる顧客に対する便益の提供」及び類似群コード「３５Ｋ０２・２１Ｃ０１」が、役務「食肉の小売又は卸売の業務において行われる顧客に対する便益の提供」及び類似群コード「３５Ｋ０３・３２Ａ０１」が、役務「菓子及びパンの小売又は卸売の業務において行われる顧客に対する便益の提供」及び類似群コード「３５Ｋ０３・３０Ａ０１」が、役務「グライダーの小売又は卸売の業務において行われる顧客に対する便益の提供」及び類似群コード「３５Ｋ９９・１２Ａ０２」がそれぞれ登録されているが、上記第３の基準によれば、これら役務についての類似群の数はいずれも最大値として算出される。
【００９０】
なお、第１３番目のレコードには、役務「ヨットの小売又は卸売の業務において行われる顧客に対する便益の提供」及び類似群コード「３５Ｋ９９・１２Ａ０１」が登録されているが、入力された商品（役務）と一致するので、この役務についての類似群の数は最大値として算出される。
【００９１】
そして、ステップＳ１０８を経て、図５に示すように、算出された類似群の数が所定以下となる商品（役務）「広告業」「トレーディングスタンプの発行」「商品の販売に関する情報の提供」「職業のあっせん」「速記」「書類の複製」「コンピュータデータベースへの情報編集」「求人情報の提供」「船舶用警音器の小売又は卸売の業務において行われる顧客に対する便益の提供」が表示される。
【００９２】
ここで、従来技術との対比を行うと、特許文献１の技術にあっては、（１）「ヨットの小売又は卸売の業務において行われる顧客に対する便益の提供」（３５Ｋ９９・１２Ａ０１）、（２）「グライダーの小売又は卸売の業務において行われる顧客に対する便益の提供」（３５Ｋ９９・１２Ａ０２）、（３）「船舶用警音器の小売又は卸売の業務において行われる顧客に対する便益の提供」（３５Ｋ９９・１２Ａ０１）、（４）「広告業」（３５Ａ０１）、（５）「商品の販売に関する情報の提供」（３５Ｂ０１）の優先順位で役務を希望する場合、優先順位に従って運用基準に適合させようとすれば役務（１）、（２）について検討した時点で運用基準に適合しなくなるので役務（１）又は（２）しか指定することができないという結論になる。これに対し、本実施の形態に係る図５の例では、役務（１）を入力すれば役務（２）が表示されないので、運用基準に適合する役務（１）、（３）〜（５）を指定することができる。
【００９３】
次に、第３の事例を説明する。
図６は、商品（役務）を検索するための検索画面である。
【００９４】
ユーザは、図６に示すように、例えば、所望の商品（役務）として「衣料品・飲食料品及び生活用品に係る各種商品を一括して取り扱う小売又は卸売の業務において行われる顧客に対する便益の提供」を入力装置４０から入力し、検索ボタンをクリックすると、ステップＳ１０２を経て、「衣料品・飲食料品及び生活用品に係る各種商品を一括して取り扱う小売又は卸売の業務において行われる顧客に対する便益の提供」と一致する商品（役務）が商品情報テーブルのなかから検索され、これと同一のレコードにおいて登録されている類似群コード「３５Ｋ０１」が商品情報テーブルのなかから検索される。
【００９５】
次いで、ステップＳ１０４、Ｓ１０６を経て、商品（役務）及びこれに対応する類似群コードが商品情報テーブルのなかから検索され、ステップＳ１０２で索出された類似群コード及びステップＳ１０４で索出された類似群コードに基づいて類似群の数が算出される。
【００９６】
図２の例では、第１番目〜第８番目、第１０番目〜第１５番目のレコードには、役務「広告業」及び類似群コード「３５Ａ０１」が、役務「トレーディングスタンプの発行」及び類似群コード「３５Ａ０２」が、役務「商品の販売に関する情報の提供」及び類似群コード「３５Ｂ０１」が、役務「職業のあっせん」及び類似群コード「３５Ｄ０１」が、役務「速記」及び類似群コード「３５Ｇ０１」が、役務「書類の複製」及び類似群コード「３５Ｇ０２」が、役務「コンピュータデータベースへの情報編集」及び類似群コード「３５Ｇ０３・４２Ｐ０２」が、役務「求人情報の提供」及び類似群コード「４２Ｇ０２」が、役務「かばん類及び袋物の小売又は卸売の業務において行われる顧客に対する便益の提供」及び類似群コード「３５Ｋ０２・２１Ｃ０１」が、役務「食肉の小売又は卸売の業務において行われる顧客に対する便益の提供」及び類似群コード「３５Ｋ０３・３２Ａ０１」が、役務「菓子及びパンの小売又は卸売の業務において行われる顧客に対する便益の提供」及び類似群コード「３５Ｋ０３・３０Ａ０１」が、役務「ヨットの小売又は卸売の業務において行われる顧客に対する便益の提供」及び類似群コード「３５Ｋ９９・１２Ａ０１」が、役務「船舶用警音器の小売又は卸売の業務において行われる顧客に対する便益の提供」及び類似群コード「３５Ｋ９９・１２Ａ０１」が、役務「グライダーの小売又は卸売の業務において行われる顧客に対する便益の提供」及び類似群コード「３５Ｋ９９・１２Ａ０２」がそれぞれ登録されているが、上記第１又は第２の基準によれば、ステップＳ１０２で索出された類似群コード「３５Ｋ０１」との関係では、これら役務についての類似群の数はいずれも最大値として算出される。
【００９７】
なお、第９番目のレコードには、役務「衣料品・飲食料品及び生活用品に係る各種商品を一括して取り扱う小売又は卸売の業務において行われる顧客に対する便益の提供」及び類似群コード「３５Ｋ０１」が登録されているが、入力された商品（役務）と一致するので、この役務についての類似群の数は最大値として算出される。
【００９８】
そして、ステップＳ１０８を経て、図６に示すように、商品（役務）は何も表示されない。
【００９９】
次に、本実施の形態の効果を説明する。
本実施の形態では、商品（役務）を入力し、入力した商品（役務）と一致する商品（役務）を商品情報テーブルのなかから検索し、これと同一のレコードにおいて登録されている類似群コードを商品情報テーブルのなかから検索し、商品（役務）及びこれに対応する類似群コードを商品情報テーブルのなかから検索し、索出した類似群コードに基づいて類似群の数を算出し、索出した商品（役務）のうち類似群の数が所定条件を満たす商品（役務）を表示する。
【０１００】
これにより、所望の商品（役務）（例えば、現在の業務に係る商品（役務））に対し、類似群の数が所定条件を満たす商品（役務）が得られるので、従来に比して、権利を取得する上での障害を少なくし、現在の業務から派生する業務に係る商品（役務）を検討することができる。
【０１０１】
本実施の形態において、記憶装置４２は、発明１の商品情報記憶手段に対応し、ステップＳ１０２は、発明１の類似群情報取得手段に対応し、ステップＳ１０４は、発明１の商品情報検索手段に対応し、ステップＳ１０６は、発明１の類似群数取得手段に対応している。また、ステップＳ１０８は、発明１の商品情報出力手段に対応し、類似群コードは、発明１の類似群情報に対応している。
【０１０２】
〔第２の実施の形態〕
次に、本発明の第２の実施の形態を説明する。図７乃至図１０は、本実施の形態を示す図である。なお、以下、上記第１の実施の形態と異なる部分についてのみ説明し、重複する部分については同一の符号を付して説明を省略する。
【０１０３】
まず、記憶装置４２のデータ構造を説明する。
図７は、記憶装置４２に記憶されている商品情報テーブルのデータ構造を示す図である。
【０１０４】
記憶装置４２は、図２の商品情報テーブルに代えて、図７の商品情報テーブルを記憶している。
【０１０５】
商品情報テーブルには、図７に示すように、商品（役務）ごとに１つのレコードが登録されている。各レコードは、商品（役務）を登録するフィールドと、その商品（役務）が属する区分を登録するフィールドと、その商品（役務）の類似群コードを登録するフィールドとを含んで構成されている。
【０１０６】
次に、ＣＰＵ３０で実行される処理を説明する。
ＣＰＵ３０は、図３のフローチャートに示す検索処理に代えて、図８のフローチャートに示す検索処理を実行する。
【０１０７】
図８は、検索処理を示すフローチャートである。
検索処理は、ユーザからの検索要求に応じて実行される処理であって、ＣＰＵ３０において実行されると、図８に示すように、まず、ステップＳ１５０に移行する。
【０１０８】
ステップＳ１５０では、商品（役務）１及びこれが属する区分１を入力し、ステップＳ１５２に移行して、商品（役務）２及びこれが属する区分２を入力し、ステップＳ１５４に移行して、商品（役務）３及びこれが属する区分３を入力し、ステップＳ１５６に移行する。ここで、商品（役務）１〜３のいずれか１つは必須の入力項目であり、商品（役務）１〜３の他のもの及び区分１〜３は任意の入力項目である。
【０１０９】
ステップＳ１５６では、入力した商品（役務）１〜３ごとに、その商品（役務）と一致する商品（役務）を商品情報テーブルのなかから検索し、これと同一のレコードにおいて登録されている類似群コードを商品情報テーブルのなかから検索する。具体的な検索方法は、次のとおりである。
【０１１０】
１つの商品（役務）を入力した場合（例えば、商品（役務）１を入力した場合）は、商品（役務）１と一致する商品（役務）を商品情報テーブルのなかから検索し、これと同一のレコードにおいて登録されている類似群コードを商品情報テーブルのなかから検索する。２つの商品（役務）を入力した場合（例えば、商品（役務）１、２を入力した場合）は、商品（役務）１、２のそれぞれについて同様の検索を行い、商品（役務）１に対応する類似群コード及び商品（役務）２に対応する類似群コードを検索する。３つの商品（役務）を入力した場合（例えば、商品（役務）１〜３を入力した場合）は、商品（役務）１〜３のそれぞれについて同様の検索を行い、商品（役務）１に対応する類似群コード、商品（役務）２に対応する類似群コード及び商品（役務）３に対応する類似群コードを検索する。
【０１１１】
区分を入力した場合（例えば、商品（役務）１及び区分１を入力した場合）は、区分１で且つ商品（役務）１と一致する商品（役務）を商品情報テーブルのなかから検索し、これと同一のレコードにおいて登録されている類似群コードを商品情報テーブルのなかから検索する。
【０１１２】
次いで、ステップＳ１０４を経て、ステップＳ１５８に移行して、ステップＳ１５６で索出した１又は複数の類似群コード及びステップＳ１０４で索出した類似群コードに基づいて類似群の数を算出する。上記第１の実施の形態においては、２つの商品（役務）の類似群コードに基づいて類似群の数を算出したが、ステップＳ１５８において、３つ以上の商品（役務）の類似群コードに基づいて類似群の数を算出する場合も、ステップＳ１０６と同様に行うことができる。
【０１１３】
そして、ステップＳ１０８を経て、一連の処理を終了する。
次に、本実施の形態の動作を説明する。
【０１１４】
まず、２つの商品（役務）を入力して検索を行う場合を説明する。
図９は、商品（役務）を検索するための検索画面である。
【０１１５】
ユーザは、図９に示すように、例えば、所望の商品（役務）１及び区分１として「菓子及びパンの小売又は卸売の業務において行われる顧客に対する便益の提供」「３５」を、所望の商品（役務）２及び区分２として「職業のあっせん」「３５」を入力装置４０から入力し、検索ボタンをクリックすると、ステップＳ１５６を経て、第３５類で且つ商品（役務）１「菓子及びパンの小売又は卸売の業務において行われる顧客に対する便益の提供」と一致する商品（役務）が商品情報テーブルのなかから検索され、これと同一のレコードにおいて登録されている類似群コード「３５Ｋ０３・３０Ａ０１」が商品情報テーブルのなかから検索される。また、第３５類で且つ商品（役務）２「職業のあっせん」と一致する商品（役務）が商品情報テーブルのなかから検索され、これと同一のレコードにおいて登録されている類似群コード「３５Ｄ０１」が商品情報テーブルのなかから検索される。
【０１１６】
次いで、ステップＳ１０４、Ｓ１５８を経て、商品（役務）及びこれに対応する類似群コードが商品情報テーブルのなかから検索され、ステップＳ１５６で索出された類似群コード及びステップＳ１０４で索出された類似群コードに基づいて類似群の数が算出される。
【０１１７】
図７の例では、第１番目〜第３番目、第５番目〜第８番目のレコードには、役務「広告業」及び類似群コード「３５Ａ０１」が、役務「トレーディングスタンプの発行」及び類似群コード「３５Ａ０２」が、役務「商品の販売に関する情報の提供」及び類似群コード「３５Ｂ０１」が、役務「速記」及び類似群コード「３５Ｇ０１」が、役務「書類の複製」及び類似群コード「３５Ｇ０２」が、役務「コンピュータデータベースへの情報編集」及び類似群コード「３５Ｇ０３・４２Ｐ０２」が、役務「求人情報の提供」及び類似群コード「４２Ｇ０２」がそれぞれ登録されているので、索出された類似群コード「３５Ｋ０３・３０Ａ０１」「３５Ｄ０１」との関係では、これら役務についての類似群の数はいずれも「３」として算出される。また、第１１番目のレコードには、役務「食肉の小売又は卸売の業務において行われる顧客に対する便益の提供」及び類似群コード「３５Ｋ０３・３２Ａ０１」が登録されているので、索出された類似群コード「３５Ｋ０３・３０Ａ０１」「３５Ｄ０１」との関係では、この役務についての類似群の数は「３」として算出される。
【０１１８】
これに対し、第９番目、第１０番目、第１３番目〜第１５番目のレコードには、役務「衣料品・飲食料品及び生活用品に係る各種商品を一括して取り扱う小売又は卸売の業務において行われる顧客に対する便益の提供」及び類似群コード「３５Ｋ０１」が、役務「かばん類及び袋物の小売又は卸売の業務において行われる顧客に対する便益の提供」及び類似群コード「３５Ｋ０２・２１Ｃ０１」が、
役務「ヨットの小売又は卸売の業務において行われる顧客に対する便益の提供」及び類似群コード「３５Ｋ９９・１２Ａ０１」が、役務「船舶用警音器の小売又は卸売の業務において行われる顧客に対する便益の提供」及び類似群コード「３５Ｋ９９・１２Ａ０１」が、役務「グライダーの小売又は卸売の業務において行われる顧客に対する便益の提供」及び類似群コード「３５Ｋ９９・１２Ａ０２」がそれぞれ登録されているが、これら役務についての類似群の数は最大値として算出される。
【０１１９】
なお、第４番目、第１２番目のレコードには、役務「職業のあっせん」及び類似群コード「３５Ｄ０１」が、役務「菓子及びパンの小売又は卸売の業務において行われる顧客に対する便益の提供」及び類似群コード「３５Ｋ０３・３０Ａ０１」がそれぞれ登録されているが、入力された商品（役務）１、２と一致するので、これら役務についての類似群の数は最大値として算出される。
【０１２０】
そして、ステップＳ１０８を経て、図９に示すように、算出された類似群の数が所定以下となる商品（役務）「広告業」「トレーディングスタンプの発行」「商品の販売に関する情報の提供」「速記」「書類の複製」「コンピュータデータベースへの情報編集」「求人情報の提供」「食肉の小売又は卸売の業務において行われる顧客に対する便益の提供」が表示される。
【０１２１】
次に、３つの商品（役務）を入力して検索を行う場合を説明する。
図１０は、商品（役務）を検索するための検索画面である。
【０１２２】
ユーザは、図１０に示すように、例えば、所望の商品（役務）１及び区分１として「菓子及びパンの小売又は卸売の業務において行われる顧客に対する便益の提供」「３５」を、所望の商品（役務）２及び区分２として「職業のあっせん」「３５」を、所望の商品（役務）３及び区分３として「求人情報の提供」「３５」を入力装置４０から入力し、検索ボタンをクリックすると、ステップＳ１５６を経て、第３５類で且つ商品（役務）１「菓子及びパンの小売又は卸売の業務において行われる顧客に対する便益の提供」と一致する商品（役務）が商品情報テーブルのなかから検索され、これと同一のレコードにおいて登録されている類似群コード「３５Ｋ０３・３０Ａ０１」が商品情報テーブルのなかから検索される。また、第３５類で且つ商品（役務）２「職業のあっせん」と一致する商品（役務）が商品情報テーブルのなかから検索され、これと同一のレコードにおいて登録されている類似群コード「３５Ｄ０１」が商品情報テーブルのなかから検索される。また、第３５類で且つ商品（役務）３「求人情報の提供」と一致する商品（役務）が商品情報テーブルのなかから検索され、これと同一のレコードにおいて登録されている類似群コード「４２Ｇ０２」が商品情報テーブルのなかから検索される。
【０１２３】
次いで、ステップＳ１０４、Ｓ１５８を経て、商品（役務）及びこれに対応する類似群コードが商品情報テーブルのなかから検索され、ステップＳ１５６で索出された類似群コード及びステップＳ１０４で索出された類似群コードに基づいて類似群の数が算出される。
【０１２４】
図７の例では、第１番目〜第３番目、第５番目〜第７番目のレコードには、役務「広告業」及び類似群コード「３５Ａ０１」が、役務「トレーディングスタンプの発行」及び類似群コード「３５Ａ０２」が、役務「商品の販売に関する情報の提供」及び類似群コード「３５Ｂ０１」が、役務「速記」及び類似群コード「３５Ｇ０１」が、役務「書類の複製」及び類似群コード「３５Ｇ０２」が、役務「コンピュータデータベースへの情報編集」及び類似群コード「３５Ｇ０３・４２Ｐ０２」がそれぞれ登録されているので、索出された類似群コード「３５Ｋ０３・３０Ａ０１」「３５Ｄ０１」「４２Ｇ０２」との関係では、これら役務についての類似群の数はいずれも「４」として算出される。また、第１１番目のレコードには、役務「食肉の小売又は卸売の業務において行われる顧客に対する便益の提供」及び類似群コード「３５Ｋ０３・３２Ａ０１」が登録されているので、索出された類似群コード「３５Ｋ０３・３０Ａ０１」「３５Ｄ０１」「４２Ｇ０２」との関係では、この役務についての類似群の数は「４」として算出される。
【０１２５】
これに対し、第９番目、第１０番目、第１３番目〜第１５番目のレコードには、役務「衣料品・飲食料品及び生活用品に係る各種商品を一括して取り扱う小売又は卸売の業務において行われる顧客に対する便益の提供」及び類似群コード「３５Ｋ０１」が、役務「かばん類及び袋物の小売又は卸売の業務において行われる顧客に対する便益の提供」及び類似群コード「３５Ｋ０２・２１Ｃ０１」が、
役務「ヨットの小売又は卸売の業務において行われる顧客に対する便益の提供」及び類似群コード「３５Ｋ９９・１２Ａ０１」が、役務「船舶用警音器の小売又は卸売の業務において行われる顧客に対する便益の提供」及び類似群コード「３５Ｋ９９・１２Ａ０１」が、役務「グライダーの小売又は卸売の業務において行われる顧客に対する便益の提供」及び類似群コード「３５Ｋ９９・１２Ａ０２」がそれぞれ登録されているが、これら役務についての類似群の数は最大値として算出される。
【０１２６】
なお、第４番目、第８番目、第１２番目のレコードには、役務「職業のあっせん」及び類似群コード「３５Ｄ０１」が、役務「求人情報の提供」及び類似群コード「４２Ｇ０２」が、役務「菓子及びパンの小売又は卸売の業務において行われる顧客に対する便益の提供」及び類似群コード「３５Ｋ０３・３０Ａ０１」がそれぞれ登録されているが、入力された商品（役務）１〜３と一致するので、これら役務についての類似群の数は最大値として算出される。
【０１２７】
そして、ステップＳ１０８を経て、図１０に示すように、算出された類似群の数が所定以下となる商品（役務）「広告業」「トレーディングスタンプの発行」「商品の販売に関する情報の提供」「速記」「書類の複製」「コンピュータデータベースへの情報編集」「食肉の小売又は卸売の業務において行われる顧客に対する便益の提供」が表示される。
【０１２８】
次に、本実施の形態の効果を説明する。
本実施の形態では、複数の商品（役務）を入力し、入力した商品（役務）ごとに、その商品（役務）と一致する商品（役務）を商品情報テーブルのなかから検索し、これと同一のレコードにおいて登録されている類似群コードを商品情報テーブルのなかから検索し、商品（役務）及びこれに対応する類似群コードを商品情報テーブルのなかから検索し、索出した類似群コードに基づいて類似群の数を算出し、索出した商品（役務）のうち類似群の数が所定条件を満たす商品（役務）を表示する。
【０１２９】
これにより、複数の商品（役務）に対し、類似群の数が所定条件を満たす商品（役務）が得られるので、複数の商品（役務）を所望する場合でも、権利を取得する上での障害を少なくし、現在の業務から派生する業務に係る商品（役務）を検討することができる。
【０１３０】
さらに、本実施の形態では、商品（役務）及びこれが属する区分を入力し、入力した区分で且つ入力した商品（役務）と一致する商品（役務）を商品情報テーブルのなかから検索し、これと同一のレコードにおいて登録されている類似群コードを商品情報テーブルのなかから検索する。
【０１３１】
これにより、商品（役務）及びこれが属する区分により、商品情報テーブルに登録されている商品（役務）との対応関係を精度よく特定することができる。
【０１３２】
本実施の形態において、ステップＳ１５６は、発明１の類似群情報取得手段に対応し、ステップＳ１５８は、発明１の類似群数取得手段に対応している。
【０１３３】
〔第３の実施の形態〕
次に、本発明の第３の実施の形態を説明する。図１１及び図１２は、本実施の形態を示す図である。なお、以下、上記第１の実施の形態と異なる部分についてのみ説明し、重複する部分については同一の符号を付して説明を省略する。
【０１３４】
まず、ＣＰＵ３０で実行される処理を説明する。
ＣＰＵ３０は、図３のフローチャートに示す検索処理に代えて、図１１のフローチャートに示す検索処理を実行する。
【０１３５】
図１１は、検索処理を示すフローチャートである。
検索処理は、ユーザからの検索要求に応じて実行される処理であって、ＣＰＵ３０において実行されると、図１１に示すように、まず、ステップＳ２００に移行する。
【０１３６】
ステップＳ２００では、商品（役務）の類似群コードを入力し、ステップＳ１０４を経て、ステップＳ２０２に移行して、ステップＳ１０６と同様に、ステップＳ２００で入力した類似群コード及びステップＳ１０４で索出した類似群コードに基づいて類似群の数を算出し、ステップＳ１０８を経て、一連の処理を終了する。
【０１３７】
次に、本実施の形態の動作を説明する。
図１２は、商品（役務）を検索するための検索画面である。
【０１３８】
ユーザは、図１２に示すように、例えば、所望の商品（役務）「菓子及びパンの小売又は卸売の業務において行われる顧客に対する便益の提供」の類似群コードとして「３５Ｋ０３・３０Ａ０１」を入力装置４０から入力し、検索ボタンをクリックすると、ステップＳ１０４、Ｓ２０２、Ｓ１０８を経て、類似群の数が所定以下となる商品（役務）が表示される。図１２の例では、役務「広告業」「トレーディングスタンプの発行」「商品の販売に関する情報の提供」「職業のあっせん」「速記」「書類の複製」「コンピュータデータベースへの情報編集」「求人情報の提供」「食肉の小売又は卸売の業務において行われる顧客に対する便益の提供」が表示される。
【０１３９】
次に、本実施の形態の効果を説明する。
本実施の形態では、商品（役務）の類似群コードを入力し、商品（役務）及びこれに対応する類似群コードを商品情報テーブルのなかから検索し、入力及び索出した類似群コードに基づいて類似群の数を算出し、索出した商品（役務）のうち類似群の数が所定条件を満たす商品（役務）を表示する。
【０１４０】
これにより、所望の商品（役務）の類似群コードに対し、類似群の数が所定条件を満たす商品（役務）が得られるので、従来に比して、権利を取得する上での障害を少なくし、現在の業務から派生する業務に係る商品（役務）を検討することができる。
【０１４１】
本実施の形態において、ステップＳ２００は、発明１の類似群情報取得手段に対応し、ステップＳ２０２は、発明１の類似群数取得手段に対応している。
【０１４２】
〔第４の実施の形態〕
次に、本発明の第４の実施の形態を説明する。図１３及び図１４は、本実施の形態を示す図である。なお、以下、上記第１の実施の形態と異なる部分についてのみ説明し、重複する部分については同一の符号を付して説明を省略する。
【０１４３】
まず、ＣＰＵ３０で実行される処理を説明する。
ＣＰＵ３０は、図３のフローチャートに示す検索処理に代えて、図１３のフローチャートに示す検索処理を実行する。
【０１４４】
図１３は、検索処理を示すフローチャートである。
検索処理は、ユーザからの検索要求に応じて実行される処理であって、ＣＰＵ３０において実行されると、図１３に示すように、まず、ステップＳ１００〜Ｓ１０２を経て、ステップＳ２５０に移行する。
【０１４５】
ステップＳ２５０では、商品情報テーブルのなかから類似群コードを検索し、ステップＳ２５２に移行して、ステップＳ１０６と同様に、ステップＳ１０２で索出した類似群コード及びステップＳ２５０で索出した類似群コードに基づいて類似群の数を算出し、ステップＳ２５４に移行する。
【０１４６】
ステップＳ２５４では、ステップＳ２５０で索出した類似群コードのうちステップＳ２５２で算出した類似群の数が所定値（例えば、「７」）以下となる類似群コードを表示装置４４に表示し、一連の処理を終了する。
【０１４７】
次に、本実施の形態の動作を説明する。
図１４は、商品（役務）の類似群コードを検索するための検索画面である。
【０１４８】
ユーザは、図１４に示すように、例えば、所望の商品（役務）として「菓子及びパンの小売又は卸売の業務において行われる顧客に対する便益の提供」を入力装置４０から入力し、検索ボタンをクリックすると、ステップＳ１０２、Ｓ２５０〜Ｓ２５４を経て、類似群の数が所定以下となる類似群コードが表示される。図１４の例では、類似群コード「３５Ａ０１」「３５Ａ０２」「３５Ｂ０１」「３５Ｄ０１」「３５Ｇ０１」「３５Ｇ０２」「３５Ｇ０３・４２Ｐ０２」「４２Ｇ０２」「３５Ｋ０３・３２Ａ０１」が表示される。
【０１４９】
次に、本実施の形態の効果を説明する。
本実施の形態では、商品（役務）を入力し、入力した商品（役務）と一致する商品（役務）を商品情報テーブルのなかから検索し、これと同一のレコードにおいて登録されている類似群コードを商品情報テーブルのなかから検索し、商品情報テーブルのなかから類似群コードを検索し、索出した類似群コードに基づいて類似群の数を算出し、索出した類似群コードのうち類似群の数が所定条件を満たす類似群コードを表示する。
【０１５０】
これにより、所望の商品（役務）に対し、類似群の数が所定条件を満たす類似群コードが得られるので、従来に比して、権利を取得する上での障害を少なくし、現在の業務から派生する業務に係る商品（役務）を検討することができる。
【０１５１】
本実施の形態において、ステップＳ２５０は、発明１の商品情報検索手段に対応し、ステップＳ２５２は、発明１の類似群数取得手段に対応し、ステップＳ２５４は、発明１の商品情報出力手段に対応している。
【０１５２】
〔第５の実施の形態〕
次に、本発明の第５の実施の形態を説明する。図１５乃至図１７は、本実施の形態を示す図である。なお、以下、上記第１、第３及び第４の実施の形態と異なる部分についてのみ説明し、重複する部分については同一の符号を付して説明を省略する。
【０１５３】
まず、記憶装置４２のデータ構造を説明する。
図１５は、記憶装置４２に記憶されている商品情報テーブルのデータ構造を示す図である。
【０１５４】
記憶装置４２は、図２の商品情報テーブルに代えて、図１５の商品情報テーブルを記憶している。図２の商品情報テーブルと異なるのは、商品（役務）を登録するフィールドが存在しない点である。
【０１５５】
次に、ＣＰＵ３０で実行される処理を説明する。
ＣＰＵ３０は、図３のフローチャートに示す検索処理に代えて、図１６のフローチャートに示す検索処理を実行する。
【０１５６】
図１６は、検索処理を示すフローチャートである。
検索処理は、ユーザからの検索要求に応じて実行される処理であって、ＣＰＵ３０において実行されると、図１６に示すように、まず、ステップＳ２００、Ｓ２５０を経て、ステップＳ３００に移行する。
【０１５７】
ステップＳ３００では、ステップＳ１０６と同様に、ステップＳ２００で入力した類似群コード及びステップＳ２５０で索出した類似群コードに基づいて類似群の数を算出し、ステップＳ２５４を経て、一連の処理を終了する。
【０１５８】
次に、本実施の形態の動作を説明する。
図１７は、商品（役務）の類似群コードを検索するための検索画面である。
【０１５９】
ユーザは、図１７に示すように、例えば、所望の商品（役務）「菓子及びパンの小売又は卸売の業務において行われる顧客に対する便益の提供」の類似群コードとして「３５Ｋ０３・３０Ａ０１」を入力装置４０から入力し、検索ボタンをクリックすると、ステップＳ２５０、Ｓ３００、Ｓ２５４を経て、類似群の数が所定以下となる類似群コードが表示される。図１７の例では、類似群コード「３５Ａ０１」「３５Ａ０２」「３５Ｂ０１」「３５Ｄ０１」「３５Ｇ０１」「３５Ｇ０２」「３５Ｇ０３・４２Ｐ０２」「４２Ｇ０２」「３５Ｋ０３・３２Ａ０１」が表示される。
【０１６０】
次に、本実施の形態の効果を説明する。
本実施の形態では、商品（役務）の類似群コードを入力し、商品情報テーブルのなかから類似群コードを検索し、入力及び索出した類似群コードに基づいて類似群の数を算出し、索出した類似群コードのうち類似群の数が所定条件を満たす類似群コードを表示する。
【０１６１】
これにより、所望の商品（役務）の類似群コードに対し、類似群の数が所定条件を満たす類似群コードが得られるので、従来に比して、権利を取得する上での障害を少なくし、現在の業務から派生する業務に係る商品（役務）を検討することができる。
【０１６２】
本実施の形態において、ステップＳ３００は、発明１の類似群数取得手段に対応している。
【０１６３】
〔第６の実施の形態〕
次に、本発明の第６の実施の形態を説明する。図１８乃至図２２は、本実施の形態を示す図である。なお、以下、上記第１及び第２の実施の形態と異なる部分についてのみ説明し、重複する部分については同一の符号を付して説明を省略する。
【０１６４】
まず、ＣＰＵ３０で実行される処理を説明する。
ＣＰＵ３０は、図３のフローチャートに示す検索処理に代えて、図１８のフローチャートに示す検索処理を実行する。
【０１６５】
図１８は、検索処理を示すフローチャートである。
検索処理は、ユーザからの検索要求に応じて実行される処理であって、ＣＰＵ３０において実行されると、図１８に示すように、まず、ステップＳ１００〜Ｓ１０８を経て、ステップＳ１１０に移行する。
【０１６６】
ステップＳ１１０では、ステップＳ１０８で表示された商品（役務）のなかからいずれかの商品（役務）が入力装置４０で選択されたか否かを判定し、商品（役務）が選択されたと判定した場合(YES)は、ステップＳ１１２に移行して、選択された商品（役務）の類似群コードを商品情報テーブルのなかから検索し、ステップＳ１１４に移行する。
【０１６７】
ステップＳ１１４では、ステップＳ１０６と同様に、ステップＳ１０２、Ｓ１１２で索出した類似群コード及びステップＳ１０４で索出した類似群コードに基づいて類似群の数を算出し、ステップＳ１０８に移行する。
【０１６８】
一方、ステップＳ１１０で、商品（役務）が選択されないと判定した場合(NO)は、一連の処理を終了する。
【０１６９】
次に、本実施の形態の動作を説明する。
図１９乃至図２２は、商品（役務）を検索するための検索画面である。
【０１７０】
ユーザは、図１９に示すように、例えば、所望の商品（役務）として「菓子及びパンの小売又は卸売の業務において行われる顧客に対する便益の提供」を入力装置４０から入力し、検索ボタンをクリックすると、ステップＳ１０２を経て、「菓子及びパンの小売又は卸売の業務において行われる顧客に対する便益の提供」と一致する商品（役務）が商品情報テーブルのなかから検索され、これと同一のレコードにおいて登録されている類似群コード「３５Ｋ０３・３０Ａ０１」が商品情報テーブルのなかから検索される。
【０１７１】
次いで、ステップＳ１０４、Ｓ１０６を経て、商品（役務）及びこれに対応する類似群コードが商品情報テーブルのなかから検索され、ステップＳ１０２で索出された類似群コード及びステップＳ１０４で索出された類似群コードに基づいて類似群の数が算出される。
【０１７２】
そして、ステップＳ１０８を経て、図１９に示すように、算出された類似群の数が所定以下となる商品（役務）「広告業」「トレーディングスタンプの発行」「商品の販売に関する情報の提供」「職業のあっせん」「速記」「書類の複製」「コンピュータデータベースへの情報編集」「求人情報の提供」「食肉の小売又は卸売の業務において行われる顧客に対する便益の提供」が表示される。
【０１７３】
ここで、ユーザは、表示された商品（役務）のなかから、例えば、次に所望の商品（役務）として「食肉の小売又は卸売の業務において行われる顧客に対する便益の提供」を選択すると、ステップＳ１１２を経て、その類似群コード「３５Ｋ０３・３２Ａ０１」が商品情報テーブルのなかから検索される。
【０１７４】
次いで、ステップＳ１１４を経て、ステップＳ１０２、Ｓ１１２で索出された類似群コード「３５Ｋ０３・３０Ａ０１」「３５Ｋ０３・３２Ａ０１」との関係では、役務「広告業」「トレーディングスタンプの発行」「商品の販売に関する情報の提供」「職業のあっせん」「速記」「書類の複製」「コンピュータデータベースへの情報編集」「求人情報の提供」についての類似群の数はいずれも「３」として算出される。
【０１７５】
そして、ステップＳ１０８を経て、図２０に示すように、算出された類似群の数が所定以下となる商品（役務）「広告業」「トレーディングスタンプの発行」「商品の販売に関する情報の提供」「職業のあっせん」「速記」「書類の複製」「コンピュータデータベースへの情報編集」「求人情報の提供」が表示される。
【０１７６】
ここで、ユーザは、表示された商品（役務）のなかから、例えば、次に所望の商品（役務）として「職業のあっせん」を選択すると、ステップＳ１１２を経て、その類似群コード「３５Ｄ０１」が商品情報テーブルのなかから検索される。
【０１７７】
次いで、ステップＳ１１４を経て、ステップＳ１０２、Ｓ１１２で索出された類似群コード「３５Ｋ０３・３０Ａ０１」「３５Ｋ０３・３２Ａ０１」「３５Ｄ０１」との関係では、役務「広告業」「トレーディングスタンプの発行」「商品の販売に関する情報の提供」「速記」「書類の複製」「コンピュータデータベースへの情報編集」「求人情報の提供」についての類似群の数はいずれも「４」として算出される。
【０１７８】
そして、ステップＳ１０８を経て、図２１に示すように、算出された類似群の数が所定以下となる商品（役務）「広告業」「トレーディングスタンプの発行」「商品の販売に関する情報の提供」「速記」「書類の複製」「コンピュータデータベースへの情報編集」「求人情報の提供」が表示される。
【０１７９】
ここで、ユーザは、表示された商品（役務）のなかから、例えば、次に所望の商品（役務）として「求人情報の提供」を選択すると、ステップＳ１１２を経て、その類似群コード「４２Ｇ０２」が商品情報テーブルのなかから検索される。
【０１８０】
次いで、ステップＳ１１４を経て、ステップＳ１０２、Ｓ１１２で索出された類似群コード「３５Ｋ０３・３０Ａ０１」「３５Ｋ０３・３２Ａ０１」「３５Ｄ０１」「４２Ｇ０２」との関係では、役務「広告業」「トレーディングスタンプの発行」「商品の販売に関する情報の提供」「速記」「書類の複製」「コンピュータデータベースへの情報編集」についての類似群の数はいずれも「５」として算出される。
【０１８１】
そして、ステップＳ１０８を経て、図２２に示すように、算出された類似群の数が所定以下となる商品（役務）「広告業」「トレーディングスタンプの発行」「商品の販売に関する情報の提供」「速記」「書類の複製」「コンピュータデータベースへの情報編集」が表示される。
【０１８２】
次に、本実施の形態の効果を説明する。
本実施の形態では、表示された商品（役務）のなかからいずれかの商品（役務）が選択された場合は、選択された商品（役務）の類似群コードを商品情報テーブルのなかから検索し、索出した類似群コードに基づいて類似群の数を算出し、索出した商品（役務）のうち類似群の数が所定条件を満たす商品（役務）を表示する。
【０１８３】
これにより、所望の商品（役務）及び得られた商品（役務）（例えば、現在の業務から派生する業務に係る一の商品（役務））に対し、さらに類似群の数が所定条件を満たす商品（役務）が得られるので、権利を取得する上での障害を少なくし、現在の業務から派生する業務に係る商品（役務）をさらに検討することができる。
【０１８４】
本実施の形態において、ステップＳ１１２は、発明２の第２類似群情報取得手段に対応し、ステップＳ１１４は、発明２の第２類似群数取得手段に対応している。
【０１８５】
〔第７の実施の形態〕
次に、本発明の第７の実施の形態を説明する。図２３乃至図２５は、本実施の形態を示す図である。なお、以下、上記第１の実施の形態と異なる部分についてのみ説明し、重複する部分については同一の符号を付して説明を省略する。
【０１８６】
まず、記憶装置４２のデータ構造を説明する。
図２３は、記憶装置４２に記憶されている商品情報テーブルのデータ構造を示す図である。
【０１８７】
記憶装置４２は、図２の商品情報テーブルに代えて、図２３の商品情報テーブルを記憶している。
【０１８８】
商品情報テーブルには、図２３に示すように、商品（役務）ごとに１つのレコードが登録されている。各レコードは、商品（役務）を登録するフィールドと、その商品（役務）の類似群コードと、その商品（役務）の出現回数を登録するフィールドとを含んで構成されている。ここで、出現回数とは、後述する第８乃至第１２の実施の形態における出現回数をいう。図２３の例では、例えば、商品（役務）「菓子及びパンの小売又は卸売の業務において行われる顧客に対する便益の提供」に係る業務から派生する業務に係る商品（役務）の出現回数を登録した例を示している。
【０１８９】
次に、ＣＰＵ３０で実行される処理を説明する。
ＣＰＵ３０は、図３のフローチャートに示す検索処理に代えて、図２４のフローチャートに示す検索処理を実行する。
【０１９０】
図２４は、検索処理を示すフローチャートである。
検索処理は、ユーザからの検索要求に応じて実行される処理であって、ＣＰＵ３０において実行されると、図２４に示すように、まず、ステップＳ１００〜Ｓ１０２を経て、ステップＳ１１６に移行する。
【０１９１】
ステップＳ１１６では、商品（役務）並びにこれに対応する類似群コード及び出現回数を商品情報テーブルのなかから検索し、ステップＳ１１８に移行して、ステップＳ１０６と同様に、ステップＳ１０２で索出した類似群コード及びステップＳ１１６で索出した類似群コードに基づいて類似群の数を算出する。
【０１９２】
そして、ステップＳ１２０に移行して、ステップＳ１１６で索出した商品（役務）及び出現回数のうちステップＳ１１８で算出した類似群の数が所定値（例えば、「７」）以下となる商品（役務）及び出現回数を出現回数の多い順に表示装置４４に表示し、一連の処理を終了する。
【０１９３】
次に、本実施の形態の動作を説明する。
図２５は、商品（役務）を検索するための検索画面である。
【０１９４】
ユーザは、図２５に示すように、例えば、所望の商品（役務）として「菓子及びパンの小売又は卸売の業務において行われる顧客に対する便益の提供」を入力装置４０から入力し、検索ボタンをクリックすると、ステップＳ１０２を経て、「菓子及びパンの小売又は卸売の業務において行われる顧客に対する便益の提供」と一致する商品（役務）が商品情報テーブルのなかから検索され、これと同一のレコードにおいて登録されている類似群コード「３５Ｋ０３・３０Ａ０１」が商品情報テーブルのなかから検索される。
【０１９５】
次いで、ステップＳ１１６、Ｓ１１８を経て、商品（役務）並びにこれに対応する類似群コード及び出現回数が商品情報テーブルのなかから検索され、ステップＳ１０２で索出された類似群コード及びステップＳ１１６で索出された類似群コードに基づいて類似群の数が算出される。
【０１９６】
そして、ステップＳ１２０を経て、図２５に示すように、算出された類似群の数が所定以下となる商品（役務）及び出現回数が出現回数の多い順に表示される。図２５の上位３つの例では、商品（役務）「食肉の小売又は卸売の業務において行われる顧客に対する便益の提供」及び出現回数「２５」が第１行目に、商品（役務）「職業のあっせん」及び出現回数「２２」が第２行目に、商品（役務）「求人情報の提供」及び出現回数「１８」が第３行目に表示される。
【０１９７】
次に、本実施の形態の効果を説明する。
本実施の形態では、商品（役務）を入力し、入力した商品（役務）と一致する商品（役務）を商品情報テーブルのなかから検索し、これと同一のレコードにおいて登録されている類似群コードを商品情報テーブルのなかから検索し、商品（役務）並びにこれに対応する類似群コード及び出現回数を商品情報テーブルのなかから検索し、索出した類似群コードに基づいて類似群の数を算出し、索出した商品（役務）及び出現回数のうち類似群の数が所定条件を満たす商品（役務）及び出現回数を出現回数の多い順に表示する。
【０１９８】
これにより、商品（役務）の出現回数に基づいて商品（役務）が表示されるので、出現回数と関連して商品（役務）を検討することができる。
【０１９９】
本実施の形態において、ステップＳ１１６は、発明１、７若しくは８の商品情報検索手段、又は発明７若しくは８の統計情報取得手段に対応し、ステップＳ１１８は、発明１の類似群数取得手段に対応し、ステップＳ１２０は、発明１又は７の商品情報出力手段に対応している。
【０２００】
〔第８の実施の形態〕
次に、本発明の第８の実施の形態を説明する。図２６乃至図３１は、本実施の形態を示す図である。なお、以下、上記第１の実施の形態と異なる部分についてのみ説明し、重複する部分については同一の符号を付して説明を省略する。
【０２０１】
商標登録出願においては、名義人等の業務に係る商品（役務）が指定されていると考えられるので、商標登録出願を行うにあたって指定しようとする商品（役務）に対応する商品（役務）、及び、これとは異なる他の商品（役務）が指定されている場合、この「他の商品（役務）」は、指定しようとする商品（役務）に係る業務から派生する業務に係る商品（役務）である可能性が高い。例えば、指定しようとする役務が「宿泊施設の提供」である場合、「宿泊施設の提供」及び「飲食物の提供」が指定された商標登録出願において、「飲食物の提供」は、現在の業務に係る役務「宿泊施設の提供」から派生する業務に係る役務である可能性が高い。実際、宿泊施設には、飲食店が併設されることが多い。
【０２０２】
そこで、本実施の形態は、商標登録出願において指定された商品（役務）のうち一の商品（役務）、及び、商標登録出願において指定された商品（役務）のうち他の商品（役務）を対応づけて商品情報テーブルに記憶し、入力した商品（役務）と一致する商品（役務）を商品情報テーブルのなかから検索し、これと同一のレコードにおいて登録されている他の商品（役務）を商品情報テーブルのなかから検索する。そして、この検索においては、上記第１の実施の形態のように、類似群の数が所定以下となる商品（役務）に絞り込む。
【０２０３】
まず、記憶装置４２のデータ構造を説明する。
図２６は、記憶装置４２に記憶されている商品情報テーブルのデータ構造を示す図である。
【０２０４】
記憶装置４２は、図２の商品情報テーブルに代えて、図２６に示すように、商標登録出願において指定された商品（役務）を登録する商品情報テーブルを記憶している。
【０２０５】
商品情報テーブルには、商標登録出願ごとに１つのレコードが登録されている。各レコードは、商標登録出願において第１番目に指定された商品（役務）１を登録するフィールドと、商品（役務）１の類似群コード（類似群コード１）を登録するフィールドと、商標登録出願において第２番目に指定された商品（役務）２を登録するフィールドと、商品（役務）２の類似群コード（類似群コード２）を登録するフィールドと、商標登録出願において第３番目に指定された商品（役務）３を登録するフィールドと、商品（役務）３の類似群コード（類似群コード３）を登録するフィールドと、商標登録出願において第４番目に指定された商品（役務）４を登録するフィールドと、商品（役務）４の類似群コード（類似群コード４）を登録するフィールドとを含んで構成されている。図２６の例では、説明の簡略化のため、フィールド数を８つとしてあるが、任意の数に設定することができる。
【０２０６】
図２７乃至図２９は、商標登録出願の内容の一例を示す図である。
図２７の例では、商標登録出願（商願２０１１−９９９９９９１）において、第４３類「宿泊施設の提供，飲食物の提供」が役務として指定されているので、商品情報テーブルの第１番目のレコードには、商品（役務）１として「宿泊施設の提供」が、商品（役務）２として「飲食物の提供」が登録される。また、これらの類似群コード１として「４２Ａ０１」が、類似群コード２として「４２Ｂ０１」が登録される。
【０２０７】
図２８の例では、商標登録出願（商願２０１１−９９９９９９２）において、第４３類「宿泊施設の提供，飲食物の提供，会議室の貸与」が役務として指定されているので、商品情報テーブルの第２番目のレコードには、商品（役務）１として「宿泊施設の提供」が、商品（役務）２として「飲食物の提供」が、商品（役務）３として「会議室の貸与」が登録される。また、これらの類似群コード１として「４２Ａ０１」が、類似群コード２として「４２Ｂ０１」が、類似群コード３として「４２Ｘ１０」が登録される。
【０２０８】
図２９の例では、商標登録出願（商願２０１１−９９９９９９３）において、第４３類「宿泊施設の提供，飲食物の提供，会議室の貸与」及び第４４類「入浴施設の提供」が役務として指定されているので、商品情報テーブルの第３番目のレコードには、商品（役務）１として「宿泊施設の提供」が、商品（役務）２として「飲食物の提供」が、商品（役務）３として「会議室の貸与」が、商品（役務）４として「入浴施設の提供」が登録される。また、これらの類似群コード１として「４２Ａ０１」が、類似群コード２として「４２Ｂ０１」が、類似群コード３として「４２Ｘ１０」が、類似群コード４として「４２Ｄ０１」が登録される。
【０２０９】
次に、ＣＰＵ３０で実行される処理を説明する。
ＣＰＵ３０は、図３のフローチャートに示す検索処理に代えて、図３０のフローチャートに示す検索処理を実行する。
【０２１０】
図３０は、検索処理を示すフローチャートである。
検索処理は、ユーザからの検索要求に応じて実行される処理であって、ＣＰＵ３０において実行されると、図３０に示すように、まず、ステップＳ１００〜Ｓ１０２を経て、ステップＳ４００に移行する。
【０２１１】
ステップＳ４００では、ステップＳ１００で入力した商品（役務）と一致する商品（役務）を商品情報テーブルのなかから検索し、これと同一のレコードにおいて登録されている他の商品（役務）及びこれに対応する類似群コードを商品情報テーブルのなかから検索し、ステップＳ４０２に移行して、索出した商品（役務）について同一の内容ごとに出現回数を算出する。
【０２１２】
そして、ステップＳ４０４に移行して、ステップＳ１０６と同様に、ステップＳ１０２で索出した類似群コード及びステップＳ４００で索出した類似群コードに基づいて類似群の数を算出し、ステップＳ４０６に移行して、ステップＳ４００で索出した商品（役務）及びステップＳ４０２で算出した出現回数のうちステップＳ４０４で算出した類似群の数が所定値（例えば、「７」）以下となる商品（役務）及び出現回数を出現回数の多い順に表示装置４４に表示し、一連の処理を終了する。
【０２１３】
次に、本実施の形態の動作を説明する。
図３１は、商品（役務）を検索するための検索画面である。
【０２１４】
ユーザは、図３１に示すように、例えば、所望の商品（役務）として「宿泊施設の提供」を入力装置４０から入力し、検索ボタンをクリックすると、ステップＳ１０２を経て、「宿泊施設の提供」と一致する商品（役務）が商品情報テーブルのなかから検索され、これと同一のレコードにおいて登録されている類似群コード「４２Ａ０１」が商品情報テーブルのなかから検索される。そして、ステップＳ４００を経て、「宿泊施設の提供」と一致する商品（役務）が商品情報テーブルのなかから検索され、これと同一のレコードにおいて登録されている他の商品（役務）及びこれに対応する類似群コードが商品情報テーブルのなかから検索される。
【０２１５】
図２６の例では、まず、第１番目のレコードに役務「宿泊施設の提供」が登録されているので、これと同一のレコードにおいて登録されている他の役務「飲食物の提供」が索出される。同様に、第２番目のレコードにも役務「宿泊施設の提供」が登録されているので、これと同一のレコードにおいて登録されている他の役務「飲食物の提供」「会議室の貸与」が索出される。同様に、第３番目のレコードにも役務「宿泊施設の提供」が登録されているので、これと同一のレコードにおいて登録されている他の役務「飲食物の提供」「会議室の貸与」「入浴施設の提供」が索出される。また、これら役務に対応する類似群コード「４２Ｂ０１」「４２Ｘ０１」「４２Ｄ０１」も索出される。
【０２１６】
次いで、ステップＳ４０２を経て、索出された商品（役務）について同一の内容ごとに出現回数が算出される。索出された役務が「飲食物の提供」「飲食物の提供」「会議室の貸与」「飲食物の提供」「会議室の貸与」「入浴施設の提供」であるので、「飲食物の提供」の出現回数が「３」、「会議室の貸与」の出現回数が「２」、「入浴施設の提供」の出現回数が「１」として算出される。
【０２１７】
次いで、ステップＳ４０４を経て、ステップＳ１０２で索出された類似群コード「４２Ａ０１」との関係では、役務「飲食物の提供」「会議室の貸与」「入浴施設の提供」についての類似群の数はいずれも「２」として算出される。
【０２１８】
そして、ステップＳ４０６を経て、図３１に示すように、算出された類似群の数が所定以下となる商品（役務）及び出現回数が出現回数の多い順に表示される。図３１の例では、「飲食物の提供」の出現回数が最も多いので、「飲食物の提供」及び件数「３」が第１行目に表示される。「会議室の貸与」の出現回数が次に多いので、「会議室の貸与」及び件数「２」が第２行目に表示される。「入浴施設の提供」の出現回数が最も少ないので、「入浴施設の提供」及び件数「１」が第３行目に表示される。
【０２１９】
次に、本実施の形態の効果を説明する。
本実施の形態では、商品（役務）を入力し、入力した商品（役務）と一致する商品（役務）を商品情報テーブルのなかから検索し、これと同一のレコードにおいて登録されている類似群コードを商品情報テーブルのなかから検索し、入力した商品（役務）と一致する商品（役務）を商品情報テーブルのなかから検索し、これと同一のレコードにおいて登録されている他の商品（役務）及びこれに対応する類似群コードを商品情報テーブルのなかから検索し、索出した商品（役務）について同一の内容ごとに出現回数を算出し、索出した類似群コードに基づいて類似群の数を算出し、索出した商品（役務）及び算出した出現回数のうち類似群の数が所定条件を満たす商品（役務）及び出現回数を出現回数の多い順に表示する。
【０２２０】
これにより、所望の商品（役務）に係る業務から派生する業務に係る商品（役務）が得られるので、従来に比して、現在の業務から派生する業務に係る商品（役務）を検討することができる。
【０２２１】
また、本実施の形態では、索出した商品（役務）について同一の内容ごとに出現回数を算出し、索出した商品（役務）及び出現回数を出現回数の多い順に表示する。
【０２２２】
これにより、派生する業務に係る商品（役務）の出現回数に基づいて商品（役務）が表示されるので、出現回数と関連して商品（役務）を検討することができる。
【０２２３】
本実施の形態において、ステップＳ４００は、発明１、７又は８の商品情報検索手段に対応し、ステップＳ４０２は、発明７又は８の統計情報取得手段に対応し、ステップＳ４０４は、発明１の類似群数取得手段に対応し、ステップＳ４０６は、発明１又は７の商品情報出力手段に対応している。
【０２２４】
〔第９の実施の形態〕
次に、本発明の第９の実施の形態を説明する。図３２乃至図３７は、本実施の形態を示す図である。なお、以下、上記第２及び第８の実施の形態と異なる部分についてのみ説明し、重複する部分については同一の符号を付して説明を省略する。
【０２２５】
まず、記憶装置４２のデータ構造を説明する。
図３２は、記憶装置４２に記憶されている商品情報テーブルのデータ構造を示す図である。
【０２２６】
記憶装置４２は、図２６の商品情報テーブルに代えて、図３２の商品情報テーブルを記憶している。
【０２２７】
商品情報テーブルには、商標登録出願ごとに１つのレコードが登録されている。各レコードは、出願番号を登録するフィールドと、商品（役務）１を登録するフィールドと、商品（役務）１が属する区分（区分１）を登録するフィールドと、商品（役務）１の類似群コード（類似群コード１）を登録するフィールドと、商品（役務）２を登録するフィールドと、商品（役務）２が属する区分（区分２）を登録するフィールドと、商品（役務）２の類似群コード（類似群コード２）を登録するフィールドと、商品（役務）３を登録するフィールドと、商品（役務）３が属する区分（区分３）を登録するフィールドと、商品（役務）３の類似群コード（類似群コード３）を登録するフィールドと、商品（役務）４を登録するフィールドと、商品（役務）４が属する区分（区分４）を登録するフィールドと、商品（役務）４の類似群コード（類似群コード４）を登録するフィールドとを含んで構成されている。
【０２２８】
商標登録出願（商願２０１１−９９９９９９１）において、第４３類「宿泊施設の提供，飲食物の提供」が役務として指定されているので、商品情報テーブルの第１番目のレコードには、出願番号として「２０１１−９９９９９９１」が、商品（役務）１として「宿泊施設の提供」が、商品（役務）２として「飲食物の提供」が登録される。また、これらが属する区分１、２として「４３」が登録される。さらに、これらの類似群コード１として「４２Ａ０１」が、類似群コード２として「４２Ｂ０１」が登録される。
【０２２９】
商標登録出願（商願２０１１−９９９９９９２）において、第４３類「宿泊施設の提供，飲食物の提供，会議室の貸与」が役務として指定されているので、商品情報テーブルの第２番目のレコードには、出願番号として「２０１１−９９９９９９２」が、商品（役務）１として「宿泊施設の提供」が、商品（役務）２として「飲食物の提供」が、商品（役務）３として「会議室の貸与」が登録される。また、これらが属する区分１〜３として「４３」が登録される。さらに、これらの類似群コード１として「４２Ａ０１」が、類似群コード２として「４２Ｂ０１」が、類似群コード３として「４２Ｘ１０」が登録される。
【０２３０】
商標登録出願（商願２０１１−９９９９９９３）において、第４３類「宿泊施設の提供，飲食物の提供，会議室の貸与」及び第４４類「入浴施設の提供」が役務として指定されているので、商品情報テーブルの第３番目のレコードには、出願番号として「２０１１−９９９９９９３」が、商品（役務）１として「宿泊施設の提供」が、商品（役務）２として「飲食物の提供」が、商品（役務）３として「会議室の貸与」が、商品（役務）４として「入浴施設の提供」が登録される。また、これらが属する区分１〜３として「４３」が、区分４として「４４」が登録される。さらに、これらの類似群コード１として「４２Ａ０１」が、類似群コード２として「４２Ｂ０１」が、類似群コード３として「４２Ｘ１０」が、類似群コード４として「４２Ｄ０１」が登録される。
【０２３１】
商標登録出願（商願２０１１−９９９９９９４）において、第４３類「宿泊施設の提供，会議室の貸与」が役務として指定されているので、商品情報テーブルの第４番目のレコードには、出願番号として「２０１１−９９９９９９４」が、商品（役務）１として「宿泊施設の提供」が、商品（役務）２として「会議室の貸与」が登録される。また、これらが属する区分１、２として「４３」が登録される。さらに、これらの類似群コード１として「４２Ａ０１」が、類似群コード２として「４２Ｘ１０」が登録される。
【０２３２】
商標登録出願（商願２０１１−９９９９９９５）において、第４３類「宿泊施設の提供，飲食物の提供」が役務として指定されているので、商品情報テーブルの第５番目のレコードには、出願番号として「２０１１−９９９９９９５」が、商品（役務）１として「宿泊施設の提供」が、商品（役務）２として「飲食物の提供」が登録される。また、これらが属する区分１、２として「４３」が登録される。さらに、これらの類似群コード１として「４２Ａ０１」が、類似群コード２として「４２Ｂ０１」が登録される。
【０２３３】
商標登録出願（商願２０１１−９９９９９９６）において、第４３類「宿泊施設の提供，飲食物の提供，会議室の貸与」及び第４５類「婚礼のための施設の提供」が役務として指定されているので、商品情報テーブルの第６番目のレコードには、出願番号として「２０１１−９９９９９９６」が、商品（役務）１として「宿泊施設の提供」が、商品（役務）２として「飲食物の提供」が、商品（役務）３として「会議室の貸与」が、商品（役務）４として「婚礼のための施設の提供」が登録される。また、これらが属する区分１〜３として「４３」が、区分４として「４５」が登録される。さらに、これらの類似群コード１として「４２Ａ０１」が、類似群コード２として「４２Ｂ０１」が、類似群コード３として「４２Ｘ１０」が、類似群コード４として「４２Ｈ０２」が登録される。
【０２３４】
図３３は、記憶装置４２に記憶されている書誌情報テーブルのデータ構造を示す図である。
【０２３５】
記憶装置４２は、さらに、図３３に示すように、商標登録出願に関する書誌情報テーブルを記憶している。
【０２３６】
書誌情報テーブルには、商標登録出願ごとに１つのレコードが登録されている。各レコードは、出願番号を登録するフィールドと、検索用の商標を登録するフィールドと、商標の称呼を登録するフィールドと、出願人を登録するフィールドと、出願日を登録するフィールドと、代理人を登録するフィールドとを含んで構成されている。その他、例えば、（１）法区分（版）・類、（２）書換登録申請番号、（３）国際登録番号、（４）書換登録申請日又は国際登録日（事後指定日）、（５）公開日、（６）公告番号、（７）公告日、（８）登録番号、（９）登録日（国際登録の場合は国内登録日）、（１０）登録公報発行日、（１１）存続期間満了日、（１２）名義人、書換申請者に関する情報（氏名又は名称、住所又は居所、識別番号、名義人等が法人にあっては企業情報（例えば、業種、設立年月日、株式上場の有無、資本金、売上高、利益、従業員数））、（１３）代理人に関する情報（氏名又は名称、住所又は居所、識別番号、代理人が法人にあっては企業情報（例えば、業種、設立年月日、株式上場の有無、資本金、売上高、利益、従業員数））、（１４）異議申立人に関する情報（氏名又は名称、住所又は居所、識別番号、異議申立人が法人にあっては企業情報（例えば、業種、設立年月日、株式上場の有無、資本金、売上高、利益、従業員数））、（１５）審判番号、（１６）拒絶査定発送日、（１７）最終処分日を登録することもできる。
【０２３７】
次に、ＣＰＵ３０で実行される処理を説明する。
ＣＰＵ３０は、図３０のフローチャートに示す検索処理に代えて、図３４のフローチャートに示す検索処理を実行する。
【０２３８】
図３４は、検索処理を示すフローチャートである。
検索処理は、ユーザからの検索要求に応じて実行される処理であって、ＣＰＵ３０において実行されると、図３４に示すように、まず、ステップＳ４５０に移行する。
【０２３９】
ステップＳ４５０では、商品（役務）１及びこれが属する区分１又は類似群コード１を入力し、ステップＳ４５２に移行して、商品（役務）２及びこれが属する区分２又は類似群コード２を入力し、ステップＳ４５４に移行して、商品（役務）３及びこれが属する区分３又は類似群コード３を入力し、ステップＳ４５６に移行する。ここで、商品（役務）１〜３のいずれか１つは必須の入力項目であり、商品（役務）１〜３の他のもの並びに区分１〜３及び類似群コード１〜３は任意の入力項目である。
【０２４０】
ステップＳ４５６では、商標登録出願に関する第１の絞込条件（絞込条件１）を入力し、ステップＳ４５８に移行して、商標登録出願に関する第２の絞込条件（絞込条件２）を入力し、ステップＳ４６０に移行して、商標登録出願に関する第３の絞込条件（絞込条件３）を入力し、ステップＳ４６２に移行する。ここで、絞込条件１〜３は任意の入力項目である。
【０２４１】
ステップＳ４６２では、ステップＳ１５６と同様に、入力した商品（役務）１〜３ごとに、その商品（役務）と一致する商品（役務）を商品情報テーブルのなかから検索し、これと同一のレコードにおいて登録されている類似群コードを商品情報テーブルのなかから検索し、ステップＳ４６４に移行する。
【０２４２】
ステップＳ４６４では、入力した絞込条件１〜３のすべてに対応する商標登録出願で、且つ、入力した商品（役務）１〜３のすべてが指定された商標登録出願について、入力した商品（役務）１〜３と一致する商品（役務）を商品情報テーブルのなかから検索し、これと同一のレコードにおいて登録されている他の商品（役務）及びこれに対応する類似群コードを商品情報テーブルのなかから検索する。具体的な検索方法は、次のとおりである。
【０２４３】
１つの商品（役務）を入力した場合（例えば、商品（役務）１を入力した場合）は、商品（役務）１と一致する商品（役務）を商品情報テーブルのなかから検索し、これと同一のレコードにおいて登録されている他の商品（役務）を商品情報テーブルのなかから検索する。２つの商品（役務）を入力した場合（例えば、商品（役務）１、２を入力した場合）は、商品（役務）１と一致する商品（役務）、及び商品（役務）２と一致する商品（役務）が登録されているレコードを商品情報テーブルのなかから検索し、そのレコードにおいて登録されている他の商品（役務）を商品情報テーブルのなかから検索する。３つの商品（役務）を入力した場合（例えば、商品（役務）１〜３を入力した場合）は、商品（役務）１と一致する商品（役務）、商品（役務）２と一致する商品（役務）、及び商品（役務）３と一致する商品（役務）が登録されているレコードを商品情報テーブルのなかから検索し、そのレコードにおいて登録されている他の商品（役務）を商品情報テーブルのなかから検索する。
【０２４４】
区分を入力した場合（例えば、商品（役務）１及び区分１を入力した場合）は、区分１で且つ商品（役務）１と一致する商品（役務）を商品情報テーブルのなかから検索し、これと同一のレコードにおいて登録されている他の商品（役務）を商品情報テーブルのなかから検索する。類似群コードを入力した場合（例えば、商品（役務）１及び類似群コード１を入力した場合）は、類似群コード１で且つ商品（役務）１と一致する商品（役務）を商品情報テーブルのなかから検索し、これと同一のレコードにおいて登録されている他の商品（役務）を商品情報テーブルのなかから検索する。区分及び類似群コードを入力した場合（例えば、商品（役務）１、区分１及び類似群コード１を入力した場合）は、区分１及び類似群コード１で且つ商品（役務）１と一致する商品（役務）を商品情報テーブルのなかから検索し、これと同一のレコードにおいて登録されている他の商品（役務）を商品情報テーブルのなかから検索する。
【０２４５】
１つの絞込条件を入力した場合（例えば、絞込条件１を入力した場合）は、絞込条件１に対応する書誌情報を書誌情報テーブルのなかから検索し、これと同一のレコードにおいて登録されている出願番号を書誌情報テーブルのなかから検索し、商品情報テーブルのレコードのうち、索出した出願番号と同一の出願番号が登録されているレコードを検索対象とする。２つの絞込条件を入力した場合（例えば、絞込条件１、２を入力した場合）は、絞込条件１に対応する書誌情報、及び絞込条件２に対応する書誌情報が登録されているレコードを書誌情報テーブルのなかから検索し、そのレコードにおいて登録されている出願番号を書誌情報テーブルのなかから検索し、商品情報テーブルのレコードのうち、索出した出願番号と同一の出願番号が登録されているレコードを検索対象とする。３つの絞込条件を入力した場合（例えば、絞込条件１〜３を入力した場合）は、絞込条件１に対応する書誌情報、絞込条件２に対応する書誌情報、及び絞込条件３に対応する書誌情報が登録されているレコードを書誌情報テーブルのなかから検索し、そのレコードにおいて登録されている出願番号を書誌情報テーブルのなかから検索し、商品情報テーブルのレコードのうち、索出した出願番号と同一の出願番号が登録されているレコードを検索対象とする。
【０２４６】
次いで、ステップＳ４６６に移行して、索出した商品（役務）について同一の内容ごとに出現回数を算出する。
【０２４７】
そして、ステップＳ４６８に移行して、ステップＳ１０６と同様に、ステップＳ４６２で索出した類似群コード及びステップＳ４６４で索出した類似群コードに基づいて類似群の数を算出し、ステップＳ４７０に移行して、ステップＳ４６４で索出した商品（役務）及び類似群コード並びにステップＳ４６６で算出した出現回数のうちステップＳ４６８で算出した類似群の数が所定値（例えば、「７」）以下となる商品（役務）、出現回数及び類似群コードを出現回数の多い順に表示装置４４に表示し、一連の処理を終了する。
【０２４８】
次に、本実施の形態の動作を説明する。
まず、１つの商品（役務）を入力して検索を行う場合を説明する。
【０２４９】
図３５は、商品（役務）を検索するための検索画面である。
ユーザは、図３５に示すように、例えば、所望の商品（役務）１として「宿泊施設の提供」を、その区分及び類似群コードとして「４３」及び「４２Ａ０１」を入力装置４０から入力し、検索ボタンをクリックすると、ステップＳ４６２を経て、第４３類で且つ商品（役務）１「宿泊施設の提供」と一致する商品（役務）が商品情報テーブルのなかから検索され、これと同一のレコードにおいて登録されている類似群コード「４２Ａ０１」が商品情報テーブルのなかから検索される。そして、ステップＳ４６４を経て、第４３類で類似群コードが「４２Ａ０１」となる「宿泊施設の提供」と一致する商品（役務）が商品情報テーブルのなかから検索され、これと同一のレコードにおいて登録されている他の商品（役務）及びこれに対応する類似群コードが商品情報テーブルのなかから検索される。
【０２５０】
図３２の例では、まず、第１番目のレコードに役務「宿泊施設の提供」が登録されているので、これと同一のレコードにおいて登録されている他の役務「飲食物の提供」が索出される。同様に、第２番目のレコードから「飲食物の提供」「会議室の貸与」が、第３番目のレコードから「飲食物の提供」「会議室の貸与」「入浴施設の提供」が、第４番目のレコードから「会議室の貸与」が、第５番目のレコードから「飲食物の提供」が、第６番目のレコードから「飲食物の提供」「会議室の貸与」「婚礼のための施設の提供」が索出される。また、これら役務に対応する類似群コード「４２Ｂ０１」「４２Ｘ０１」「４２Ｄ０１」「４２Ｈ０２」も索出される。
【０２５１】
次いで、ステップＳ４６６を経て、索出された商品（役務）について同一の内容ごとに出現回数が算出される。索出された役務が「飲食物の提供」「飲食物の提供」「会議室の貸与」「飲食物の提供」「会議室の貸与」「入浴施設の提供」「会議室の貸与」「飲食物の提供」「飲食物の提供」「会議室の貸与」「婚礼のための施設の提供」であるので、「飲食物の提供」の出現回数が「５」、「会議室の貸与」の出現回数が「４」、「入浴施設の提供」の出現回数が「１」、「婚礼のための施設の提供」の出現回数が「１」として算出される。
【０２５２】
次いで、ステップＳ４６８を経て、ステップＳ４６２で索出された類似群コード「４２Ａ０１」との関係では、役務「飲食物の提供」「会議室の貸与」「入浴施設の提供」「婚礼のための施設の提供」についての類似群の数はいずれも「２」として算出される。
【０２５３】
そして、ステップＳ４７０を経て、図３５に示すように、算出された類似群の数が所定以下となる商品（役務）、出現回数及び類似群コードが出現回数の多い順に表示される。図３５の例では、「飲食物の提供」の出現回数が最も多いので、「飲食物の提供」、件数「５」、「４３」及び「４２Ｂ０１」が第１行目に表示される。「会議室の貸与」の出現回数が次に多いので、「会議室の貸与」、件数「４」、「４３」及び「４２Ｘ１０」が第２行目に表示される。「入浴施設の提供」「婚礼のための施設の提供」の出現回数が最も少ないので、「入浴施設の提供」、件数「１」、「４４」及び「４２Ｄ０１」が第３行目に、「婚礼のための施設の提供」、件数「１」、「４５」及び「４２Ｈ０２」が第４行目に表示される。出現回数が同一の商品（役務）については、例えば、入力した商品（役務）と同一の又は近い区分に属するものを上位に表示してもよいし、入力した商品（役務）と同一の又は近い類似群コードに係る類似群に属するものを上位に表示してもよい。
【０２５４】
絞込条件については、例えば、出願人を「商標株式会社」と設定した絞込条件１を入力すると、図３２及び図３３の例では、出願番号「２０１１−９９９９９９１」「２０１１−９９９９９９２」「２０１１−９９９９９９３」が出願人「商標株式会社」の商標登録出願であるので、これが検索対象となる。図３２の例では、まず、第１番目のレコードに役務「宿泊施設の提供」が登録されているので、これと同一のレコードにおいて登録されている他の役務「飲食物の提供」が索出される。同様に、第２番目のレコードから「飲食物の提供」「会議室の貸与」が、第３番目のレコードから「飲食物の提供」「会議室の貸与」「入浴施設の提供」が索出される。そして、索出された役務が「飲食物の提供」「飲食物の提供」「会議室の貸与」「飲食物の提供」「会議室の貸与」「入浴施設の提供」であるので、「飲食物の提供」及び件数「３」が第１行目に、「会議室の貸与」及び件数「２」が第２行目に、「入浴施設の提供」及び件数「１」が第３行目に表示される。これにより、出願人が「商標株式会社」である商標登録出願に係る商品（役務）が得られるので、例えば、特定企業の出願傾向を参考にすることができる。
【０２５５】
次に、２つの商品（役務）を入力して検索を行う場合を説明する。
図３６は、商品（役務）を検索するための検索画面である。
【０２５６】
ユーザは、図３６に示すように、例えば、所望の商品（役務）１として「宿泊施設の提供」を、その区分及び類似群コードとして「４３」及び「４２Ａ０１」を、所望の商品（役務）２として「飲食物の提供」を、その区分及び類似群コードとして「４３」及び「４２Ｂ０１」を入力装置４０から入力し、検索ボタンをクリックすると、ステップＳ４６２を経て、第４３類で且つ商品（役務）１「宿泊施設の提供」と一致する商品（役務）が商品情報テーブルのなかから検索され、これと同一のレコードにおいて登録されている類似群コード「４２Ａ０１」が商品情報テーブルのなかから検索される。また、第４３類で且つ商品（役務）２「飲食物の提供」と一致する商品（役務）が商品情報テーブルのなかから検索され、これと同一のレコードにおいて登録されている類似群コード「４２Ｂ０１」が商品情報テーブルのなかから検索される。そして、ステップＳ４６４を経て、第４３類で類似群コードが「４２Ａ０１」となる「宿泊施設の提供」と一致する商品（役務）、及び、第４３類で類似群コードが「４２Ｂ０１」となる「飲食物の提供」と一致する商品（役務）が登録されているレコードが商品情報テーブルのなかから検索され、そのレコードにおいて登録されている他の商品（役務）及びこれに対応する類似群コードが商品情報テーブルのなかから検索される。
【０２５７】
図３２の例では、まず、第２番目のレコードに役務「宿泊施設の提供」「飲食物の提供」が登録されているので、これと同一のレコードにおいて登録されている他の役務「会議室の貸与」が索出される。同様に、第３番目のレコードから「会議室の貸与」「入浴施設の提供」が、第６番目のレコードから「会議室の貸与」「婚礼のための施設の提供」が索出される。また、これら役務に対応する類似群コード「４２Ｘ０１」「４２Ｄ０１」「４２Ｈ０２」も索出される。
【０２５８】
次いで、ステップＳ４６６を経て、索出された商品（役務）について同一の内容ごとに出現回数が算出される。索出された役務が「会議室の貸与」「会議室の貸与」「入浴施設の提供」「会議室の貸与」「婚礼のための施設の提供」であるので、「会議室の貸与」の出現回数が「３」、「入浴施設の提供」の出現回数が「１」、「婚礼のための施設の提供」の出現回数が「１」として算出される。
【０２５９】
次いで、ステップＳ４６８を経て、ステップＳ４６２で索出された類似群コード「４２Ａ０１」「４２Ｂ０１」との関係では、役務「会議室の貸与」「入浴施設の提供」「婚礼のための施設の提供」についての類似群の数はいずれも「３」として算出される。
【０２６０】
そして、ステップＳ４７０を経て、図３６に示すように、算出された類似群の数が所定以下となる商品（役務）、出現回数及び類似群コードが出現回数の多い順に表示される。図３６の例では、「会議室の貸与」の出現回数が最も多いので、「会議室の貸与」、件数「３」、「４３」及び「４２Ｘ１０」が第１行目に表示される。「入浴施設の提供」「婚礼のための施設の提供」の出現回数が最も少ないので、「入浴施設の提供」、件数「１」、「４４」及び「４２Ｄ０１」が第２行目に、「婚礼のための施設の提供」、件数「１」、「４５」及び「４２Ｈ０２」が第３行目に表示される。出現回数が同一の商品（役務）についての表示優先度は、上記同様である。
【０２６１】
絞込条件については、例えば、出願日を「２０１１／１２／２６〜２０１１／１２／２８」と設定した絞込条件１を入力すると、図３２及び図３３の例では、出願番号「２０１１−９９９９９９１」「２０１１−９９９９９９２」「２０１１−９９９９９９３」が出願日「２０１１／１２／２６〜２０１１／１２／２８」の商標登録出願であるので、これが検索対象となる。図３２の例では、まず、第２番目のレコードに役務「宿泊施設の提供」「飲食物の提供」が登録されているので、これと同一のレコードにおいて登録されている他の役務「会議室の貸与」が索出される。同様に、第３番目のレコードから「会議室の貸与」「入浴施設の提供」が索出される。そして、索出された役務が「会議室の貸与」「会議室の貸与」「入浴施設の提供」であるので、「会議室の貸与」及び件数「２」が第１行目に、「入浴施設の提供」及び件数「１」が第２行目に表示される。これにより、出願日が「２０１１／１２／２６〜２０１１／１２／２８」である商標登録出願に係る商品（役務）が得られるので、例えば、特定期間の出願傾向を参考にすることができる。
【０２６２】
次に、３つの商品（役務）を入力して検索を行う場合を説明する。
図３７は、商品（役務）を検索するための検索画面である。
【０２６３】
ユーザは、図３７に示すように、例えば、所望の商品（役務）１として「宿泊施設の提供」を、その区分及び類似群コードとして「４３」及び「４２Ａ０１」を、所望の商品（役務）２として「飲食物の提供」を、その区分及び類似群コードとして「４３」及び「４２Ｂ０１」を、所望の商品（役務）３として「会議室の貸与」を、その区分及び類似群コードとして「４３」及び「４２Ｘ１０」を入力装置４０から入力し、検索ボタンをクリックすると、ステップＳ４６２を経て、第４３類で且つ商品（役務）１「宿泊施設の提供」と一致する商品（役務）が商品情報テーブルのなかから検索され、これと同一のレコードにおいて登録されている類似群コード「４２Ａ０１」が商品情報テーブルのなかから検索される。また、第４３類で且つ商品（役務）２「飲食物の提供」と一致する商品（役務）が商品情報テーブルのなかから検索され、これと同一のレコードにおいて登録されている類似群コード「４２Ｂ０１」が商品情報テーブルのなかから検索される。また、第４３類で且つ商品（役務）３「会議室の貸与」と一致する商品（役務）が商品情報テーブルのなかから検索され、これと同一のレコードにおいて登録されている類似群コード「４２Ｘ１０」が商品情報テーブルのなかから検索される。そして、ステップＳ４６４を経て、第４３類で類似群コードが「４２Ａ０１」となる「宿泊施設の提供」と一致する商品（役務）、第４３類で類似群コードが「４２Ｂ０１」となる「飲食物の提供」と一致する商品（役務）、及び、第４３類で類似群コードが「４２Ｘ１０」となる「会議室の貸与」と一致する商品（役務）が登録されているレコードが商品情報テーブルのなかから検索され、そのレコードにおいて登録されている他の商品（役務）及びこれに対応する類似群コードが商品情報テーブルのなかから検索される。
【０２６４】
図３２の例では、まず、第３番目のレコードに役務「宿泊施設の提供」「飲食物の提供」「会議室の貸与」が登録されているので、これと同一のレコードにおいて登録されている他の役務「入浴施設の提供」が索出される。同様に、第６番目のレコードから「婚礼のための施設の提供」が索出される。また、これら役務に対応する類似群コード「４２Ｄ０１」「４２Ｈ０２」も索出される。
【０２６５】
次いで、ステップＳ４６６を経て、索出された商品（役務）について同一の内容ごとに出現回数が算出される。索出された役務が「入浴施設の提供」「婚礼のための施設の提供」であるので、「入浴施設の提供」の出現回数が「１」、「婚礼のための施設の提供」の出現回数が「１」として算出される。
【０２６６】
次いで、ステップＳ４６８を経て、ステップＳ４６２で索出された類似群コード「４２Ａ０１」「４２Ｂ０１」「４２Ｘ１０」との関係では、役務「入浴施設の提供」「婚礼のための施設の提供」についての類似群の数はいずれも「４」として算出される。
【０２６７】
そして、ステップＳ４７０を経て、図３７に示すように、算出された類似群の数が所定以下となる商品（役務）、出現回数及び類似群コードが出現回数の多い順に表示される。図３７の例では、「入浴施設の提供」「婚礼のための施設の提供」の出現回数が最も多いので、「入浴施設の提供」、件数「１」、「４４」及び「４２Ｄ０１」が第１行目に、「婚礼のための施設の提供」、件数「１」、「４５」及び「４２Ｈ０２」が第２行目に表示される。出現回数が同一の商品（役務）についての表示優先度は、上記同様である。
【０２６８】
絞込条件については、例えば、代理人を「代理太郎」と設定した絞込条件１を入力すると、図３２及び図３３の例では、出願番号「２０１１−９９９９９９１」「２０１１−９９９９９９２」「２０１１−９９９９９９３」が代理人「代理太郎」の商標登録出願であるので、これが検索対象となる。図３２の例では、第３番目のレコードに役務「宿泊施設の提供」「飲食物の提供」「会議室の貸与」が登録されているので、これと同一のレコードにおいて登録されている他の役務「入浴施設の提供」が索出される。そして、索出された役務が「入浴施設の提供」であるので、「入浴施設の提供」及び件数「１」が第１行目に表示される。これにより、代理人が「代理太郎」である商標登録出願に係る商品（役務）が得られるので、例えば、特定代理人の出願傾向を参考にすることができる。
【０２６９】
次に、本実施の形態の効果を説明する。
本実施の形態では、商品（役務）を入力し、入力した商品（役務）と一致する商品（役務）を商品情報テーブルのなかから検索し、これと同一のレコードにおいて登録されている類似群コードを商品情報テーブルのなかから検索し、入力した商品（役務）と一致する商品（役務）を商品情報テーブルのなかから検索し、これと同一のレコードにおいて登録されている他の商品（役務）及びこれに対応する類似群コードを商品情報テーブルのなかから検索し、索出した商品（役務）について同一の内容ごとに出現回数を算出し、索出した類似群コードに基づいて類似群の数を算出し、索出した商品（役務）及び算出した出現回数のうち類似群の数が所定条件を満たす商品（役務）及び出現回数を出現回数の多い順に表示する。
【０２７０】
これにより、所望の商品（役務）に係る業務から派生する業務に係る商品（役務）が得られるので、従来に比して、現在の業務から派生する業務に係る商品（役務）を検討することができる。
【０２７１】
また、本実施の形態では、商品（役務）及びこれが属する区分又は類似群コードを入力し、入力した区分又は類似群コードで且つ入力した商品（役務）と一致する商品（役務）を商品情報テーブルのなかから検索し、これと同一のレコードにおいて登録されている他の商品（役務）を商品情報テーブルのなかから検索する。
【０２７２】
これにより、商品（役務）及びこれが属する区分又は類似群コードにより、商品情報テーブルに登録されている商品（役務）との対応関係を精度よく特定することができる。
【０２７３】
また、本実施の形態では、少なくとも２つの商品（役務）を入力し、入力した一の商品（役務）と一致する商品（役務）、及び入力した他の商品（役務）と一致する商品（役務）が登録されているレコードを商品情報テーブルのなかから検索し、そのレコードにおいて登録されている他の商品（役務）を商品情報テーブルのなかから検索する。
【０２７４】
これにより、少なくとも２つの商品（役務）の両方に対応する商標登録出願について商品（役務）が検索されるので、派生する業務に適合する可能性がより高い商品（役務）が得られる。
【０２７５】
また、本実施の形態では、絞込条件を入力し、絞込条件に対応する書誌情報を書誌情報テーブルのなかから検索し、これと同一のレコードにおいて登録されている出願番号を書誌情報テーブルのなかから検索し、商品情報テーブルのレコードのうち、索出した出願番号と同一の出願番号が登録されているレコードを検索対象とする。すなわち、絞込条件に対応する商標登録出願を検索対象とする。
【０２７６】
これにより、絞込条件に対応する出願傾向を参考にすることができる。
また、本実施の形態では、少なくとも２つの絞込条件を入力し、入力した一の絞込条件に対応する書誌情報、及び入力した他の絞込条件に対応する書誌情報が登録されているレコードを書誌情報テーブルのなかから検索し、そのレコードにおいて登録されている出願番号を書誌情報テーブルのなかから検索し、商品情報テーブルのレコードのうち、索出した出願番号と同一の出願番号が登録されているレコードを検索対象とする。すなわち、少なくとも２つの絞込条件の両方に対応する商標登録出願を検索対象とする。
【０２７７】
これにより、少なくとも２つの絞込条件の両方に対応する出願傾向を参考にすることができる。
【０２７８】
さらに、本実施の形態では、商品（役務）及びこれが属する区分を入力し、入力した区分で且つ入力した商品（役務）と一致する商品（役務）を商品情報テーブルのなかから検索し、これと同一のレコードにおいて登録されている類似群コードを商品情報テーブルのなかから検索する。
【０２７９】
これにより、商品（役務）及びこれが属する区分により、商品情報テーブルに登録されている商品（役務）との対応関係を精度よく特定することができる。
【０２８０】
本実施の形態において、ステップＳ４６２は、発明１の類似群情報取得手段に対応し、ステップＳ４６４は、発明１、７又は８の商品情報検索手段に対応し、ステップＳ４６６は、発明７又は８の統計情報取得手段に対応し、ステップＳ４６８は、発明１の類似群数取得手段に対応している。また、ステップＳ４７０は、発明１又は７の商品情報出力手段に対応している。
【０２８１】
〔第１０の実施の形態〕
次に、本発明の第１０の実施の形態を説明する。図３８及び図３９は、本実施の形態を示す図である。なお、以下、上記第８の実施の形態と異なる部分についてのみ説明し、重複する部分については同一の符号を付して説明を省略する。
【０２８２】
まず、ＣＰＵ３０で実行される処理を説明する。
ＣＰＵ３０は、図３０のフローチャートに示す検索処理に代えて、図３８のフローチャートに示す検索処理を実行する。
【０２８３】
図３８は、検索処理を示すフローチャートである。
検索処理は、ユーザからの検索要求に応じて実行される処理であって、ＣＰＵ３０において実行されると、図３８に示すように、まず、ステップＳ５００に移行する。
【０２８４】
ステップＳ５００では、商品（役務）の類似群コードを入力し、ステップＳ５０２に移行して、ステップＳ４００と同様に、入力した類似群コードに対応する商品（役務）を商品情報テーブルのなかから検索し、これと同一のレコードにおいて登録されている他の商品（役務）及びこれに対応する類似群コードを商品情報テーブルのなかから検索し、ステップＳ５０４に移行して、索出した商品（役務）について同一の内容ごとに出現回数を算出する。
【０２８５】
そして、ステップＳ５０６に移行して、ステップＳ４０４と同様に、ステップＳ５００で入力した類似群コード及びステップＳ５０２で索出した類似群コードに基づいて類似群の数を算出し、ステップＳ５０８に移行して、ステップＳ５０２で索出した商品（役務）及びステップＳ５０４で算出した出現回数のうちステップＳ５０６で算出した類似群の数が所定値（例えば、「７」）以下となる商品（役務）及び出現回数を出現回数の多い順に表示装置４４に表示し、一連の処理を終了する。
【０２８６】
次に、本実施の形態の動作を説明する。
図３９は、商品（役務）を検索するための検索画面である。
【０２８７】
ユーザは、図３９に示すように、例えば、所望の商品（役務）の類似群コードとして「４２Ａ０１」を入力し、検索ボタンをクリックすると、ステップＳ５０２〜Ｓ５０８を経て、類似群の数が所定以下となる商品（役務）及び出現回数が出現回数の多い順に表示される。図３９の例では、「飲食物の提供」の出現回数が最も多いので、「飲食物の提供」及び件数「３」が第１行目に表示される。「会議室の貸与」の出現回数が次に多いので、「会議室の貸与」及び件数「２」が第２行目に表示される。「入浴施設の提供」の出現回数が最も少ないので、「入浴施設の提供」及び件数「１」が第３行目に表示される。
【０２８８】
次に、本実施の形態の効果を説明する。
本実施の形態では、商品（役務）の類似群コードを入力し、入力した類似群コードに対応する商品（役務）を商品情報テーブルのなかから検索し、これと同一のレコードにおいて登録されている他の商品（役務）及びこれに対応する類似群コードを商品情報テーブルのなかから検索し、索出した商品（役務）について同一の内容ごとに出現回数を算出し、入力及び索出した類似群コードに基づいて類似群の数を算出し、索出した商品（役務）及び算出した出現回数のうち類似群の数が所定条件を満たす商品（役務）及び出現回数を出現回数の多い順に表示する。
【０２８９】
これにより、所望の商品（役務）に係る業務から派生する業務に係る商品（役務）が得られるので、従来に比して、現在の業務から派生する業務に係る商品（役務）を検討することができる。
【０２９０】
本実施の形態において、ステップＳ５００は、発明１の類似群情報取得手段に対応し、ステップＳ５０２は、発明１、７又は８の商品情報検索手段に対応し、ステップＳ５０４は、発明７又は８の統計情報取得手段に対応し、ステップＳ５０６は、発明１の類似群数取得手段に対応している。また、ステップＳ５０８は、発明１又は７の商品情報出力手段に対応している。
【０２９１】
〔第１１の実施の形態〕
次に、本発明の第１１の実施の形態を説明する。図４０及び図４１は、本実施の形態を示す図である。なお、以下、上記第８の実施の形態と異なる部分についてのみ説明し、重複する部分については同一の符号を付して説明を省略する。
【０２９２】
まず、ＣＰＵ３０で実行される処理を説明する。
ＣＰＵ３０は、図３０のフローチャートに示す検索処理に代えて、図４０のフローチャートに示す検索処理を実行する。
【０２９３】
図４０は、検索処理を示すフローチャートである。
検索処理は、ユーザからの検索要求に応じて実行される処理であって、ＣＰＵ３０において実行されると、図４０に示すように、まず、ステップＳ１００、Ｓ１０２を経て、ステップＳ５５０に移行する。
【０２９４】
ステップＳ５５０では、ステップＳ１００で入力した商品（役務）と一致する商品（役務）を商品情報テーブルのなかから検索し、これと同一のレコードにおいて登録されている他の商品（役務）に対応する類似群コードを商品情報テーブルのなかから検索し、ステップＳ５５２に移行して、索出した類似群コードについて同一の内容ごとに出現回数を算出する。
【０２９５】
そして、ステップＳ５５４に移行して、ステップＳ１０６と同様に、ステップＳ１０２、Ｓ５５０で索出した類似群コードに基づいて類似群の数を算出し、ステップＳ５５６に移行して、ステップＳ５５０で索出した類似群コード及びステップＳ５５２で算出した出現回数のうちステップＳ５５４で算出した類似群の数が所定値（例えば、「７」）以下となる類似群コード及び出現回数を出現回数の多い順に表示装置４４に表示し、一連の処理を終了する。
【０２９６】
次に、本実施の形態の動作を説明する。
図４１は、商品（役務）の類似群コードを検索するための検索画面である。
【０２９７】
ユーザは、図４１に示すように、例えば、所望の商品（役務）として「宿泊施設の提供」を入力し、検索ボタンをクリックすると、ステップＳ１０２、Ｓ５５０〜Ｓ５５６を経て、類似群の数が所定以下となる類似群コード及び出現回数が出現回数の多い順に表示される。図４１の例では、「４２Ｂ０１」の出現回数が最も多いので、「４２Ｂ０１」及び件数「３」が第１行目に表示される。「４２Ｘ１０」の出現回数が次に多いので、「４２Ｘ１０」及び件数「２」が第２行目に表示される。「４２Ｄ０１」の出現回数が最も少ないので、「４２Ｄ０１」及び件数「１」が第３行目に表示される。
【０２９８】
次に、本実施の形態の効果を説明する。
本実施の形態では、商品（役務）を入力し、入力した商品（役務）と一致する商品（役務）を商品情報テーブルのなかから検索し、これと同一のレコードにおいて登録されている類似群コードを商品情報テーブルのなかから検索し、入力した商品（役務）と一致する商品（役務）を商品情報テーブルのなかから検索し、これと同一のレコードにおいて登録されている他の商品（役務）に対応する類似群コードを商品情報テーブルのなかから検索し、索出した類似群コードについて同一の内容ごとに出現回数を算出し、索出した類似群コードに基づいて類似群の数を算出し、索出した類似群コード及び算出した出現回数のうち類似群の数が所定条件を満たす類似群コード及び出現回数を出現回数の多い順に表示する。
【０２９９】
これにより、所望の商品（役務）に係る業務から派生する業務に係る商品（役務）が得られるので、従来に比して、現在の業務から派生する業務に係る商品（役務）を検討することができる。
【０３００】
また、本実施の形態では、索出した類似群コードについて同一の内容ごとに出現回数を算出し、索出した類似群コード及び出現回数を出現回数の多い順に表示する。
【０３０１】
これにより、派生する業務に係る商品（役務）の類似群コードの出現回数に基づいて類似群コードが表示されるので、出現回数と関連して商品（役務）を検討することができる。
【０３０２】
本実施の形態において、ステップＳ５５０は、発明１、７又は８の商品情報検索手段に対応し、ステップＳ５５２は、発明７又は８の統計情報取得手段に対応し、ステップＳ５５４は、発明１の類似群数取得手段に対応し、ステップＳ５５６は、発明１又は７の商品情報出力手段に対応している。
【０３０３】
〔第１２の実施の形態〕
次に、本発明の第１２の実施の形態を説明する。図４２乃至図４４は、本実施の形態を示す図である。なお、以下、上記第８、第１０及び第１１の実施の形態と異なる部分についてのみ説明し、重複する部分については同一の符号を付して説明を省略する。
【０３０４】
まず、記憶装置４２のデータ構造を説明する。
図４２は、記憶装置４２に記憶されている商品情報テーブルのデータ構造を示す図である。
【０３０５】
記憶装置４２は、図２６の商品情報テーブルに代えて、図４２の商品情報テーブルを記憶している。
【０３０６】
商品情報テーブルには、商標登録出願ごとに１つのレコードが登録されている。各レコードは、商品（役務）１の類似群コード（類似群コード１）を登録するフィールドと、商品（役務）２の類似群コード（類似群コード２）を登録するフィールドと、商品（役務）３の類似群コード（類似群コード３）を登録するフィールドと、商品（役務）４の類似群コード（類似群コード４）を登録するフィールドとを含んで構成されている。
【０３０７】
商標登録出願（商願２０１１−９９９９９９１）において、第４３類「宿泊施設の提供，飲食物の提供」が役務として指定されているので、商品情報テーブルの第１番目のレコードには、これらの類似群コード１として「４２Ａ０１」が、類似群コード２として「４２Ｂ０１」が登録される。
【０３０８】
商標登録出願（商願２０１１−９９９９９９２）において、第４３類「宿泊施設の提供，飲食物の提供，会議室の貸与」が役務として指定されているので、商品情報テーブルの第２番目のレコードには、これらの類似群コード１として「４２Ａ０１」が、類似群コード２として「４２Ｂ０１」が、類似群コード３として「４２Ｘ１０」が登録される。
【０３０９】
商標登録出願（商願２０１１−９９９９９９３）において、第４３類「宿泊施設の提供，飲食物の提供，会議室の貸与」及び第４４類「入浴施設の提供」が役務として指定されているので、商品情報テーブルの第３番目のレコードには、これらの類似群コード１として「４２Ａ０１」が、類似群コード２として「４２Ｂ０１」が、類似群コード３として「４２Ｘ１０」が、類似群コード４として「４２Ｄ０１」が登録される。
【０３１０】
次に、ＣＰＵ３０で実行される処理を説明する。
ＣＰＵ３０は、図３０のフローチャートに示す検索処理に代えて、図４３のフローチャートに示す検索処理を実行する。
【０３１１】
図４３は、検索処理を示すフローチャートである。
検索処理は、ユーザからの検索要求に応じて実行される処理であって、ＣＰＵ３０において実行されると、図４３に示すように、まず、ステップＳ５００を経て、ステップＳ６００に移行する。
【０３１２】
ステップＳ６００では、ステップＳ５５０と同様に、入力した類似群コードと一致する類似群コードを商品情報テーブルのなかから検索し、これと同一のレコードにおいて登録されている他の類似群コードを商品情報テーブルのなかから検索し、ステップＳ６０２に移行して、索出した類似群コードについて同一の内容ごとに出現回数を算出する。
【０３１３】
そして、ステップＳ６０４に移行して、ステップＳ１０６と同様に、ステップＳ５００で入力した類似群コード及びステップＳ６００で索出した類似群コードに基づいて類似群の数を算出し、ステップＳ６０６に移行して、ステップＳ６００で索出した類似群コード及びステップＳ６０２で算出した出現回数のうちステップＳ６０４で算出した類似群の数が所定値（例えば、「７」）以下となる類似群コード及び出現回数を出現回数の多い順に表示装置４４に表示し、一連の処理を終了する。
【０３１４】
次に、本実施の形態の動作を説明する。
図４４は、商品（役務）の類似群コードを検索するための検索画面である。
【０３１５】
ユーザは、図４４に示すように、例えば、所望の商品（役務）の類似群コードとして「４２Ａ０１」を入力し、検索ボタンをクリックすると、ステップＳ６００〜Ｓ６０６を経て、類似群の数が所定以下となる類似群コード及び出現回数が出現回数の多い順に表示される。図４４の例では、「４２Ｂ０１」の出現回数が最も多いので、「４２Ｂ０１」及び件数「３」が第１行目に表示される。「４２Ｘ１０」の出現回数が次に多いので、「４２Ｘ１０」及び件数「２」が第２行目に表示される。「４２Ｄ０１」の出現回数が最も少ないので、「４２Ｄ０１」及び件数「１」が第３行目に表示される。
【０３１６】
次に、本実施の形態の効果を説明する。
本実施の形態では、商品（役務）の類似群コードを入力し、入力した類似群コードと一致する類似群コードを商品情報テーブルのなかから検索し、これと同一のレコードにおいて登録されている他の類似群コードを商品情報テーブルのなかから検索し、入力した類似群コードと一致する類似群コードを商品情報テーブルのなかから検索し、これと同一のレコードにおいて登録されている他の類似群コードを商品情報テーブルのなかから検索し、索出した類似群コードについて同一の内容ごとに出現回数を算出し、索出した類似群コードに基づいて類似群の数を算出し、索出した類似群コード及び算出した出現回数のうち類似群の数が所定条件を満たす類似群コード及び出現回数を出現回数の多い順に表示する。
【０３１７】
これにより、所望の商品（役務）に係る業務から派生する業務に係る商品（役務）が得られるので、従来に比して、現在の業務から派生する業務に係る商品（役務）を検討することができる。
【０３１８】
本実施の形態において、ステップＳ６００は、発明１、７又は８の商品情報検索手段に対応し、ステップＳ６０２は、発明７又は８の統計情報取得手段に対応し、ステップＳ６０４は、発明１の類似群数取得手段に対応し、ステップＳ６０６は、発明１又は７の商品情報出力手段に対応している。
【０３１９】
〔変形例１〕
上記第１及び第２の実施の形態においては、商品（役務）ごとに検索及び表示を行ったが、これに限らず、商品（役務）の組み合わせごとに検索及び表示を行うこともできる。
【０３２０】
図４５は、商品（役務）を検索するための検索画面である。
ユーザは、図４５に示すように、例えば、所望の商品（役務）として「菓子及びパンの小売又は卸売の業務において行われる顧客に対する便益の提供」を入力装置４０から入力し、検索ボタンをクリックすると、「菓子及びパンの小売又は卸売の業務において行われる顧客に対する便益の提供」と一致する商品（役務）が商品情報テーブルのなかから検索され、これと同一のレコードにおいて登録されている類似群コード「３５Ｋ０３・３０Ａ０１」が商品情報テーブルのなかから検索される。
【０３２１】
次いで、商品（役務）の組み合わせ及びこれらに対応する類似群コードが商品情報テーブルのなかから検索され、索出された類似群コード「３５Ｋ０３・３０Ａ０１」及び商品（役務）の組み合わせについて索出された類似群コードに基づいて類似群の数が算出される。
【０３２２】
そして、図４５に示すように、算出された類似群の数が所定以下となる商品（役務）の組み合わせが表示される。図４５の例では、「菓子及びパンの小売又は卸売の業務において行われる顧客に対する便益の提供」「役務Ａ１」「役務Ａ２」「役務Ａ３」「役務Ａ４」「商品Ａ５」「商品Ａ６」の類似群の数が所定以下となるので、第１行目には、商品（役務）の組み合わせとして「役務Ａ１」「役務Ａ２」「役務Ａ３」「役務Ａ４」「商品Ａ５」「商品Ａ６」が表示される。また、「菓子及びパンの小売又は卸売の業務において行われる顧客に対する便益の提供」「役務Ｂ１」「役務Ｂ２」「役務Ｂ３」「商品Ｂ４」の類似群の数が所定以下となるので、第２行目には、商品（役務）の組み合わせとして「役務Ｂ１」「役務Ｂ２」「役務Ｂ３」「商品Ｂ４」が表示される。また、「菓子及びパンの小売又は卸売の業務において行われる顧客に対する便益の提供」「役務Ｃ１」「役務Ｃ２」の類似群の数が所定以下となるので、第３行目には、商品（役務）の組み合わせとして「役務Ｃ１」「役務Ｃ２」が表示される。第４行目〜第６行目も同様である。
【０３２３】
ここで、商品（役務）の組み合わせは、例えば、組み合わせ中の各商品（役務）に対応する出現回数を合計し、出現回数の合計が高い順に表示することができる。また例えば、組み合わせ中の商品（役務）の類似範囲（例えば、組み合わせ中の各商品（役務）に対応する類似群コードのユニーク数）を求め、類似範囲が広い順に表示することもできる。また例えば、組み合わせ中の商品（役務）の数が多い順に表示することもできる。
【０３２４】
また、商品（役務）の組み合わせは、例えば、上記第７乃至第１２の実施の形態のように、入力した商品（役務）と関連性の高い商品（役務）を組み合わせることにより構成することができる。商品（役務）の組み合わせは、予め設定しておいてもよいし、動的に決定してもよい。
【０３２５】
この変形例は、上記第３乃至第１２の実施の形態及びその変形例にも同様に適用することもできる。例えば、類似群コードを表示する構成では、類似群の数が所定以下となる商品（役務）の組み合わせの類似群コードを表示する。
【０３２６】
〔変形例２〕
上記第１及び第２の実施の形態並びにその変形例においては、類似群の数が所定条件を満たす商品（役務）を表示したが、これに限らず、類似群の数が所定条件を満たし且つ商品（役務）の類似範囲が最も広くなる商品（役務）を表示することもできる。商品（役務）の類似範囲は、例えば、索出した類似群コードのユニーク数によって判定する。類似群コードのユニーク数が多いほど類似範囲が広いということができる。
【０３２７】
これにより、権利を取得する上での障害を少なくし、類似範囲が最も広くなる商品（役務）を検討することができる。
【０３２８】
この変形例は、上記第３乃至第１２の実施の形態及びその変形例にも同様に適用することもできる。例えば、類似群コードを表示する構成では、類似群の数が所定条件を満たし且つ商品（役務）の類似範囲が最も広くなる類似群コードを表示する。
【０３２９】
〔変形例３〕
上記第１及び第２の実施の形態並びにその変形例においては、類似群の数が所定条件を満たす商品（役務）を表示したが、これに限らず、商品（役務）を所定態様で表示することもできる。具体的には、例えば、次の３つの構成を採用することができる。
【０３３０】
第１の構成は、入力した商品（役務）と組み合わせた場合に類似群の数が増加する商品（役務）を所定態様で表示する。ここで、所定態様で表示する構成としては、例えば、類似群の数が増加する商品（役務）に特定の色、マークその他の区別を付する構成、類似群の数が増加する商品（役務）を優先的（例えば、上位）に表示する構成、類似群の数が増加する商品（役務）だけを表示する構成を採用することができる。以下、第２及び第３の構成において同じである。
【０３３１】
第２の構成は、入力した商品（役務）と組み合わせた場合に類似群の数が増減しない商品（役務）を所定態様で表示する。
【０３３２】
第３の構成は、入力した商品（役務）と組み合わせた場合に類似群の数が減少する商品（役務）を所定態様で表示する。類似群の数が減少する例としては、例えば、商品「電気通信機械器具」「電子計算機用プログラム」を入力した場合、類似群コードはそれぞれ「１１Ｂ０１」「１１Ｃ０１」であるので、この組み合わせでの類似群の数は「２」であるところ、商品「記録済み及び未記録のビデオカセットテープ、ＤＶＤ、オーディオディスク及びコンパクトディスク」は、類似群コードが「０９Ｇ５３・１１Ｂ０１・１１Ｃ０１・２４Ａ０１・２４Ｅ０１・２４Ｅ０２・２６Ａ０１・２６Ｄ０１」であるので、商品「電気通信機械器具」「電子計算機用プログラム」「記録済み及び未記録のビデオカセットテープ、ＤＶＤ、オーディオディスク及びコンパクトディスク」を組み合わせると、類似群の数は「１」になり、減少する。
【０３３３】
これにより、入力した商品（役務）と組み合わせた場合に類似群の数が増加する商品（役務）、類似群の数が増減しない商品（役務）、又は類似群の数が減少する商品（役務）を把握することができる。
【０３３４】
この変形例は、上記第３乃至第１２の実施の形態及びその変形例にも同様に適用することもできる。例えば、類似群コードを表示する構成では、類似群の数が増加する類似群コード、類似群の数が増減しない類似群コード、又は類似群の数が減少する類似群コードを所定態様で表示する。
【０３３５】
〔変形例４〕
上記第１及び第２の実施の形態並びにその変形例においては、類似群の数が所定条件を満たす商品（役務）を表示したが、これに限らず、類似群の数が多い順又は少ない順に商品（役務）を表示することもできる。例えば、ユーザが降順ソートを要求した場合は、類似群の数が多い順に商品（役務）を表示し、ユーザが昇順ソートを要求した場合は、類似群の数が少ない順に商品（役務）を表示する。
【０３３６】
これにより、入力した商品（役務）と組み合わせた場合に類似群の数が多い商品（役務）又は類似群の数が少ない商品（役務）を優先的に得ることができる。
【０３３７】
この変形例は、上記第３乃至第１２の実施の形態及びその変形例にも同様に適用することもできる。例えば、類似群コードを表示する構成では、類似群の数が多い順又は少ない順に類似群コードを表示する。
【０３３８】
〔その他の変形例〕
また、上記第１乃至第１２の実施の形態及びその変形例においては、単一の装置である出願支援装置１００として実現したが、これに限らず、図４６に示すように、ネットワークシステムとして実現することもできる。
【０３３９】
図４６は、ネットワークシステムの構成を示すブロック図である。
インターネット等のネットワーク１９９には、図４６に示すように、出願支援サーバ２００と、複数のユーザ端末３００とが接続されている。出願支援サーバ２００は、上記第１乃至第１２の実施の形態における出願支援装置１００と同等の機能を有して構成されている。異なるのは、入力装置４０による入力に代えてユーザ端末３００から情報を受信する点と、表示装置４４による表示に代えてユーザ端末３００に情報を送信する点である。
【０３４０】
また、上記第１乃至第１２の実施の形態及びその変形例においては、運用基準に従って「所定条件」を定めたが、これに限らず、法改正等により運用基準の内容に変更があった場合は、変更後の運用基準に従って「所定条件」を定めることができる。
【０３４１】
また、上記第８及び第９の実施の形態並びにその変形例においては、索出した商品（役務）について同一の内容ごとに出現回数を算出し、索出した商品（役務）及び出現回数を出現回数の多い順に表示したが、これに限らず、例えば、表示された出現回数をクリックすると、その出現回数の算出の基礎となった商標登録出願に関する書誌情報その他の出願情報を表示することもできる。この変形例は、上記第１０乃至第１２の実施の形態及びその変形例にも同様に適用することもできる。
【０３４２】
また、上記第９の実施の形態及びその変形例を、上記第１０乃至第１２の実施の形態及びその変形例に適用することもできる。
【０３４３】
上記第１０の実施の形態及びその変形例に適用した場合、商品（役務）の類似群コードを入力し、入力した類似群コードに対応する商品（役務）を商品情報テーブルのなかから検索し、これと同一のレコードにおいて登録されている他の商品（役務）を商品情報テーブルのなかから検索し、索出した商品（役務）を表示する。また、索出した商品（役務）について同一の内容ごとに出現回数を算出し、索出した商品（役務）及び出現回数を出現回数の多い順に表示する。また、商品（役務）及びこれが属する区分又は類似群コードを入力し、入力した区分又は類似群コードで且つ入力した商品（役務）と一致する商品（役務）を商品情報テーブルのなかから検索し、これと同一のレコードにおいて登録されている他の商品（役務）を商品情報テーブルのなかから検索する。また、少なくとも２つの類似群コードを入力し、入力した一の類似群コードに対応する商品（役務）、及び入力した他の類似群コードに対応する商品（役務）が登録されているレコードを商品情報テーブルのなかから検索し、そのレコードにおいて登録されている他の商品（役務）を商品情報テーブルのなかから検索する。また、絞込条件を入力し、絞込条件に対応する書誌情報を書誌情報テーブルのなかから検索し、これと同一のレコードにおいて登録されている出願番号を書誌情報テーブルのなかから検索し、商品情報テーブルのレコードのうち、索出した出願番号と同一の出願番号が登録されているレコードを検索対象とする。また、少なくとも２つの絞込条件を入力し、入力した一の絞込条件に対応する書誌情報、及び入力した他の絞込条件に対応する書誌情報が登録されているレコードを書誌情報テーブルのなかから検索し、そのレコードにおいて登録されている出願番号を書誌情報テーブルのなかから検索し、商品情報テーブルのレコードのうち、索出した出願番号と同一の出願番号が登録されているレコードを検索対象とする。
【０３４４】
上記第１１の実施の形態及びその変形例に適用した場合、商品（役務）を入力し、入力した商品（役務）と一致する商品（役務）を商品情報テーブルのなかから検索し、これと同一のレコードにおいて登録されている他の商品（役務）に対応する類似群コードを商品情報テーブルのなかから検索し、索出した類似群コードを表示する。また、索出した類似群コードについて同一の内容ごとに出現回数を算出し、索出した類似群コード及び出現回数を出現回数の多い順に表示する。また、商品（役務）及びこれが属する区分又は類似群コードを入力し、入力した区分又は類似群コードで且つ入力した商品（役務）と一致する商品（役務）を商品情報テーブルのなかから検索し、これと同一のレコードにおいて登録されている他の商品（役務）に対応する類似群コードを商品情報テーブルのなかから検索する。また、少なくとも２つの商品（役務）を入力し、入力した一の商品（役務）と一致する商品（役務）、及び入力した他の商品（役務）と一致する商品（役務）が登録されているレコードを商品情報テーブルのなかから検索し、そのレコードにおいて登録されている他の商品（役務）に対応する類似群コードを商品情報テーブルのなかから検索する。また、絞込条件を入力し、絞込条件に対応する書誌情報を書誌情報テーブルのなかから検索し、これと同一のレコードにおいて登録されている出願番号を書誌情報テーブルのなかから検索し、商品情報テーブルのレコードのうち、索出した出願番号と同一の出願番号が登録されているレコードを検索対象とする。また、少なくとも２つの絞込条件を入力し、入力した一の絞込条件に対応する書誌情報、及び入力した他の絞込条件に対応する書誌情報が登録されているレコードを書誌情報テーブルのなかから検索し、そのレコードにおいて登録されている出願番号を書誌情報テーブルのなかから検索し、商品情報テーブルのレコードのうち、索出した出願番号と同一の出願番号が登録されているレコードを検索対象とする。
【０３４５】
上記第１２の実施の形態及びその変形例に適用した場合、商品（役務）の類似群コードを入力し、入力した類似群コードと一致する類似群コードを商品情報テーブルのなかから検索し、これと同一のレコードにおいて登録されている他の類似群コードを商品情報テーブルのなかから検索し、索出した類似群コードを表示する。また、索出した類似群コードについて同一の内容ごとに出現回数を算出し、索出した類似群コード及び出現回数を出現回数の多い順に表示する。また、少なくとも２つの類似群コードを入力し、入力した一の類似群コードと一致する類似群コード、及び入力した他の類似群コードと一致する類似群コードが登録されているレコードを商品情報テーブルのなかから検索し、そのレコードにおいて登録されている他の類似群コードを商品情報テーブルのなかから検索する。また、絞込条件を入力し、絞込条件に対応する書誌情報を書誌情報テーブルのなかから検索し、これと同一のレコードにおいて登録されている出願番号を書誌情報テーブルのなかから検索し、商品情報テーブルのレコードのうち、索出した出願番号と同一の出願番号が登録されているレコードを検索対象とする。また、少なくとも２つの絞込条件を入力し、入力した一の絞込条件に対応する書誌情報、及び入力した他の絞込条件に対応する書誌情報が登録されているレコードを書誌情報テーブルのなかから検索し、そのレコードにおいて登録されている出願番号を書誌情報テーブルのなかから検索し、商品情報テーブルのレコードのうち、索出した出願番号と同一の出願番号が登録されているレコードを検索対象とする。
【０３４６】
これと同様に、上記第２の実施の形態及びその変形例を、上記第３乃至第７の実施の形態及びその変形例に適用することもできる。
【０３４７】
また、上記第６及び第７の実施の形態及びその変形例を、上記第８乃至第１２の実施の形態及びその変形例に適用することもできる。その他、上記第１乃至第１２の実施の形態及びその変形例を相互に適用することもできる。
【０３４８】
また、上記第８の実施の形態及びその変形例においては、入力した商品（役務）と一致する商品（役務）を検索し、これと同一のレコードにおいて登録されている「他の商品（役務）」を検索したが、これに限らず、例えば、入力した商品（役務）を一部に含む商品（役務）を検索し、これと同一のレコードにおいて登録されている「他の商品（役務）」を検索することもできる。また、入力した文字（商品（役務））を少なくとも２つの文字部分に分離し、一の文字部分と他の文字部分を含む商品（役務）を検索し、これと同一のレコードにおいて登録されている「他の商品（役務）」を検索することもできる。このように複数の文字部分に分離する場合、完全一致検索、フレーズ一致検索、部分一致検索、絞込部分一致検索、除外検索（１又は複数の文字部分を含まない要素を検索）等の公知の検索方法を採用することができる。その他、入力した商品（役務）に対応する商品（役務）を介して、入力した商品（役務）に対応する「他の商品（役務）」を検索することができる。ここで、入力した商品（役務）と、商品（役務）とを対応させる方法としては、例えば、入力した商品（役務）に対応するコードと、商品（役務）に対応するコードとの一致を判定するなど、中間に１又は複数の情報を介して行ってもよい。この概念は、上記第１乃至第１２の実施の形態及びその変形例における「情報Ａに対応する情報Ｂを検索」する方法にすべて適用することができる。
【０３４９】
また、上記第８乃至第１２の実施の形態及びその変形例においては、一致検索を行ったが、これに限らず、除外検索を行うこともできる。具体的な検索方法は、次のとおりである。上記第８及び第９の実施の形態並びにその変形例においては、例えば、入力した商品（役務）とは一致しない商品（役務）を商品情報テーブルのなかから検索する。上記第１０の実施の形態及びその変形例においては、例えば、入力した類似群コードに対応しない商品（役務）を商品情報テーブルのなかから検索する。上記第１１の実施の形態及びその変形例においては、例えば、入力した商品（役務）とは一致しない商品（役務）に対応する類似群コードを商品情報テーブルのなかから検索する。上記第１２の実施の形態及びその変形例においては、例えば、入力した類似群コードとは一致しない類似群コードを商品情報テーブルのなかから検索する。
【０３５０】
また、上記第９の実施の形態及びその変形例においては、絞込条件を入力し、絞込条件に対応する書誌情報を書誌情報テーブルのなかから検索し、これと同一のレコードにおいて登録されている出願番号を書誌情報テーブルのなかから検索し、商品情報テーブルのレコードのうち、索出した出願番号と同一の出願番号が登録されているレコードを検索対象としたが、これに限らず、除外検索を行うこともできる。具体的な検索方法は、次のとおりである。絞込条件を入力し、絞込条件に対応しない書誌情報を書誌情報テーブルのなかから検索し、これと同一のレコードにおいて登録されている出願番号を書誌情報テーブルのなかから検索し、商品情報テーブルのレコードのうち、索出した出願番号と同一の出願番号が登録されているレコードを検索対象とする。また、少なくとも２つの絞込条件を入力し、入力した一の絞込条件に対応しない書誌情報、及び入力した他の絞込条件に対応しない書誌情報が登録されているレコードを書誌情報テーブルのなかから検索し、そのレコードにおいて登録されている出願番号を書誌情報テーブルのなかから検索し、商品情報テーブルのレコードのうち、索出した出願番号と同一の出願番号が登録されているレコードを検索対象とする。
【０３５１】
また、上記第８の実施の形態及びその変形例においては、索出した商品（役務）について同一の内容ごとに出現回数を算出したが、これに限らず、例えば、索出した商品（役務）について所定の分類ごとに出現回数を算出することもできる。所定の分類としては、例えば、「菓子」という一つの分類を規定し、「和菓子」「洋菓子」が索出された場合は、「菓子」の出現回数を「２」として算出する。その他、索出した商品（役務）の統計情報を取得することもできる。統計情報としては、出現回数のほか、例えば、出現率、順位、差分、分散、標準誤差、標準偏差、偏差値、平均値、中央値、最頻値、尖度、歪度、最小値、最大値その他の統計量が考えられる。また、統計情報に代えて、優先度、評価値その他の指標を用いることもできる。この変形例は、上記第９乃至第１２の実施の形態及びその変形例にも同様に適用することもできる。
【０３５２】
また、上記第８乃至第１０の実施の形態及びその変形例においては、索出した商品（役務）及び出現回数を出現回数の多い順に表示したが、これに限らず、例えば、索出した商品（役務）及び出現回数を出現回数の少ない順に表示することもできる。出現回数を表示しなくてもよい。この変形例は、上記第１１及び第１２の実施の形態並びにその変形例にも同様に適用することもできる。
【０３５３】
また、上記第１乃至第３の実施の形態及びその変形例においては、索出した商品（役務）を表示したが、これに限らず、索出した商品（役務）を包括する上位概念の商品（役務）を表示してもよいし、索出した商品（役務）に包括される下位概念の商品（役務）を表示してもよい。入力についても同様である。この変形例は、上記第４乃至第１２の実施の形態及びその変形例にも同様に適用することもできる。
【０３５４】
また、上記第９の実施の形態及びその変形例においては、商品（役務）１〜３のいずれか１つを必須の入力項目としたが、商品（役務）１〜３をすべて任意の入力項目とすることもできる。この場合、区分又は類似群コードのみを入力すると、入力した区分又は類似群コードが設定された商標登録出願を検索対象とする。
【０３５５】
また、上記第９の実施の形態及びその変形例においては、少なくとも２つの商品（役務）を入力し、ＡＮＤ検索を行ったが、これに限らず、ＯＲ検索を行うこともできる。具体的な検索方法は、次のとおりである。商品（役務）１と一致する商品（役務）、又は商品（役務）２と一致する商品（役務）が登録されているレコードを商品情報テーブルのなかから検索し、そのレコードにおいて登録されている他の商品（役務）を商品情報テーブルのなかから検索する。上記第２、第６及び第７の実施の形態並びにその変形例についても同様である。
【０３５６】
また、上記第９の実施の形態及びその変形例においては、少なくとも２つの絞込条件を入力し、ＡＮＤ検索を行ったが、これに限らず、ＯＲ検索を行うこともできる。具体的な検索方法は、次のとおりである。絞込条件１に対応する書誌情報、又は絞込条件２に対応する書誌情報が登録されているレコードを書誌情報テーブルのなかから検索し、そのレコードにおいて登録されている出願番号を書誌情報テーブルのなかから検索し、商品情報テーブルのレコードのうち、索出した出願番号と同一の出願番号が登録されているレコードを検索対象とする。
【０３５７】
また、上記第９の実施の形態及びその変形例においては、商品（役務）及びこれが属する区分又は類似群コードを入力し、入力した区分又は類似群コードで且つ入力した商品（役務）と一致する商品（役務）を検索し、これと同一のレコードにおいて登録されている他の商品（役務）を検索したが、これに限らず、入力した区分若しくは類似群コードに対応する商品（役務）、又は入力した商品（役務）と一致する商品（役務）を商品情報テーブルのなかから検索し、これと同一のレコードにおいて登録されている他の商品（役務）を商品情報テーブルのなかから検索することもできる。
【０３５８】
また、上記第９の実施の形態及びその変形例においては、商品（役務）が属するグループとして区分又は類似群コードを採用したが、これに限らず、他の分類によるグループを採用することもできる。
【０３５９】
また、上記第１０乃至第１２の実施の形態及びその変形例においては、商品（役務）が属するグループとして類似群コードを採用したが、これに限らず、区分又は他の分類によるグループを採用することもできる。この場合、入力するグループと、出力するグループは、同一とすることもできるし、異ならせることもできる。同一とする例は、上記第１２の実施の形態のように、類似群コードを入力し、類似群コードを出力するものであるが、異ならせる例は、上記第１２の実施の形態において、例えば、類似群コードを入力し、区分を出力するものである。上記第４及び第５の実施の形態並びにその変形例についても同様に、表示する商品(役務）の類似群コードを、区分又は他の分類によるグループとすることができる。
【０３６０】
また、上記第８、第１０及び第１１の実施の形態並びにその変形例においては、図２６の商品情報テーブルを用いて構成したが、これに限らず、図２６の商品情報テーブルに類似群コードを登録せず、図２の商品情報テーブルを設け、これら２つの商品情報テーブルを用いて構成することもできる。
【０３６１】
また、上記第１２の実施の形態及びその変形例においては、入力した類似群コードと一致する類似群コードを検索し、これと同一のレコードにおいて登録されている他の類似群コードを検索したが、これに限らず、図２６の商品情報テーブルを用いて、入力した類似群コードに対応する商品（役務）を商品情報テーブルのなかから検索し、これと同一のレコードにおいて登録されている他の商品（役務）に対応する類似群コードを商品情報テーブルのなかから検索することもできる。この変形例は、上記第５の実施の形態及びその変形例にも同様に適用することもできる。
【０３６２】
また、上記第８の実施の形態及びその変形例においては、商標登録出願において指定された商品（役務）のうち一の商品（役務）、及び、商標登録出願において指定された商品（役務）のうち他の商品（役務）を対応づけて記憶したが、これに限らず、次の構成を採用することもできる。
【０３６３】
第１の構成は、商標登録出願において指定された商品（役務）、及び、前記商標登録出願の名義人の他の商標登録出願、若しくは、前記名義人と同一若しくは類似の業種に属する者の商標登録出願において指定された商品（役務）を対応づけて記憶する。
【０３６４】
第２の構成は、商標登録出願における関連性に依存することなく、第１の商品（役務）、及び、第１の商品（役務）に係る業務から派生する業務に係る第２の商品（役務）を対応づけて記憶する。その他、第１の商品（役務）、及び、第２の商品（役務）を対応づけて記憶することができる。
【０３６５】
この変形例は、上記第９乃至第１２の実施の形態及びその変形例にも同様に適用することもできる。
【０３６６】
また、上記第８の実施の形態及びその変形例においては、商標登録出願において指定された商品（役務）のうち一の商品（役務）、及び、商標登録出願において指定された商品（役務）のうち他の商品（役務）を対応づけて記憶したが、これに限らず、一の商品（役務）、及び、他の商品（役務）を包括する上位概念の商品（役務）を対応づけて記憶することもできる。また、一の商品（役務）、及び、他の商品（役務）に包括される下位概念の商品（役務）を対応づけて記憶することもできる。この変形例は、上記第９乃至第１２の実施の形態及びその変形例にも同様に適用することもできる。
【０３６７】
また、上記第８乃至第１２の実施の形態及びその変形例においては、商標登録出願において指定された商品（役務）を商品情報テーブルに登録したが、これに限らず、商標登録において指定された商品（役務）を商品情報テーブルに登録することもできる。
【０３６８】
また、上記第８乃至第１２の実施の形態及びその変形例においては、出現回数を算出したが、これに限らず、上記第７の実施の形態のように、出現回数をテーブル等に記憶しておき、テーブル等から検索することもできる。
【０３６９】
また、上記第９の実施の形態及びその変形例において、類似群コードが入力される場合は、ステップＳ４６２で類似群コードを検索せず、入力した類似群コードを用いることもできる。また、上記第９の実施の形態のように入力と検索を行う構成であっても、入力した類似群コードと、索出した類似群コードが一致しない場合は、索出した類似群コードの方を用いるという構成を採用することもできる。
【０３７０】
また、上記第１乃至第１２の実施の形態及びその変形例においては、類似群の数を算出したが、これに限らず、上記第７の実施の形態における出現回数のように、類似群の数をテーブル等に登録しておき、類似群の数をテーブル等から検索することもできる。この１つの具体例としては、例えば、類似群の数を求める対象となる２以上の類似群コードに対してハッシュ関数等による演算を行って得られる情報と、その類似群コードに基づいて算出された類似群の数とを対応づけてテーブル等に登録しておき、検索時は、入力した商品（役務）の類似群コード及び索出された商品（役務）の類似群コードに対しハッシュ関数等による演算を行い、演算により得られた情報に対応する類似群の数をテーブル等から検索する。これにより、複雑な判断処理を行わずに類似群の数を取得することができるので、検索処理の高速化を図ることができる。その他、類似群の数については、入力、獲得、受信、生成その他の取得方法を採用することができる。
【０３７１】
また、上記第８乃至第１２の実施の形態及びその変形例においては、出現回数を算出したが、これに限らず、出現回数については、上記第７の実施の形態における検索のほか、入力、獲得、受信、生成その他の取得方法を採用することができる。
【０３７２】
また、上記第６の実施の形態においては、商品（役務）の選択ごとに検索を行わなかったが、これに限らず、商品（役務）の選択ごとに検索を行ってもよい。
【０３７３】
また、上記第１乃至第１２の実施の形態及びその変形例においては、検索結果を表示したが、これに限らず、検索結果に基づいてファイルを生産（生成）することもできる。また、その他の方法で出力することもできる。
【０３７４】
また、上記第１乃至第１２の実施の形態及びその変形例においては、商標登録出願を支援する場合について本発明を適用したが、これに限らず、本発明の主旨を逸脱しない範囲で他の場合にも適用可能である。
【符号の説明】
【０３７５】
１００…出願支援装置、  ３０…ＣＰＵ、  ３２…ＲＯＭ、  ３４…ＲＡＭ、  ３８…Ｉ／Ｆ、  ３９…バス、  ４０…入力装置、  ４２…記憶装置、  ４４…表示装置、  ２００…出願支援サーバ、  ３００…ユーザ端末、  １９９…ネットワーク
【要約】
【課題】  権利を取得する上での障害を少なくし、現在の業務から派生する業務に係る商品又は役務を検討することができる商標支援システムを提供する。
【解決手段】  出願支援装置１００は、商品（役務）を入力し、入力した商品（役務）と一致する商品（役務）を商品情報テーブルのなかから検索し、これと同一のレコードにおいて登録されている類似群コードを商品情報テーブルのなかから検索し、商品（役務）及びこれに対応する類似群コードを商品情報テーブルのなかから検索し、索出した類似群コードに基づいて類似群の数を算出し、索出した商品（役務）のうち類似群の数が所定条件を満たす商品（役務）を表示する。
【選択図】  図３【図１】
0005875057.tif 000002
【図２】
0005875057.tif 000003
【図３】
0005875057.tif 000004
【図４】
0005875057.tif 000005
【図５】
0005875057.tif 000006
【図６】
0005875057.tif 000007
【図７】
0005875057.tif 000008
【図８】
0005875057.tif 000009
【図９】
0005875057.tif 000010
【図１０】
0005875057.tif 000011
【図１１】
0005875057.tif 000012
【図１２】
0005875057.tif 000013
【図１３】
0005875057.tif 000014
【図１４】
0005875057.tif 000015
【図１５】
0005875057.tif 000016
【図１６】
0005875057.tif 000017
【図１７】
0005875057.tif 000018
【図１８】
0005875057.tif 000019
【図１９】
0005875057.tif 000020
【図２０】
0005875057.tif 000021
【図２１】
0005875057.tif 000022
【図２２】
0005875057.tif 000023
【図２３】
0005875057.tif 000024
【図２４】
0005875057.tif 000025
【図２５】
0005875057.tif 000026
【図２６】
0005875057.tif 000027
【図２７】
0005875057.tif 000028
【図２８】
0005875057.tif 000029
【図２９】
0005875057.tif 000030
【図３０】
0005875057.tif 000031
【図３１】
0005875057.tif 000032
【図３２】
0005875057.tif 000033
【図３３】
0005875057.tif 000034
【図３４】
0005875057.tif 000035
【図３５】
0005875057.tif 000036
【図３６】
0005875057.tif 000037
【図３７】
0005875057.tif 000038
【図３８】
0005875057.tif 000039
【図３９】
0005875057.tif 000040
【図４０】
0005875057.tif 000041
【図４１】
0005875057.tif 000042
【図４２】
0005875057.tif 000043
【図４３】
0005875057.tif 000044
【図４４】
0005875057.tif 000045
【図４５】
0005875057.tif 000046
【図４６】
0005875057.tif 000047